(57)【要約】本出願は、信号伝送方法および装置を提供する。この方法は、同期信号ブロックを生成するステップであって、同期信号ブロックは、同期信号およびブロードキャスト信号を含み、同期信号ブロックのシーケンス番号は、ブロードキャスト信号において搬送されているシーケンス番号表示情報、ブロードキャスト信号のスクランブリングコード、ブロードキャスト信号の巡回冗長検査ＣＲＣマスク、ブロードキャスト信号の全単射変換パラメータ、ブロードキャスト信号のチャネルコーディングの循環シフト情報、およびブロードキャスト信号において搬送されているシステムフレーム番号のうちの少なくとも１つを使用することによって示され、シーケンス番号は、複数の同期信号ブロックにおけるその同期信号ブロックのロケーションを示す、ステップと、同期信号ブロックを送信するステップとを含む。本出願の技術的なソリューションによれば、同期信号ブロックのロケーションが効果的に示されることが可能である。
2020520595.tif 000002
【特許請求の範囲】
【請求項１】
同期信号ブロックを生成するステップであって、前記同期信号ブロックは、同期信号およびブロードキャスト信号を含み、前記同期信号ブロックのシーケンス番号は、前記ブロードキャスト信号において搬送されているシーケンス番号表示情報、および前記ブロードキャスト信号のスクランブリングコードのうちの少なくとも１つを使用することによって示され、前記シーケンス番号は、複数の同期信号ブロックにおける前記同期信号ブロックのロケーションを示す、ステップと、
前記同期信号ブロックを送信するステップと
を含む信号伝送方法。
【請求項２】
前記シーケンス番号は、前記シーケンス番号表示情報および前記スクランブリングコードを使用することによって共同で示される請求項１に記載の方法。
【請求項３】
前記シーケンス番号は、組み合わされた黙示的かつ明示的な様式で示される請求項１または２に記載の方法。
【請求項４】
前記シーケンス番号は、２つの部分を含み、前記シーケンス番号の一方の部分は、前記スクランブリングコードを使用することによって示され、
前記シーケンス番号の他方の部分は、前記シーケンス番号表示情報を使用することによって示される請求項１乃至３のいずれか一項に記載の方法。
【請求項５】
前記シーケンス番号の前記一方の部分は、前記スクランブリングコードを使用することによって黙示的に示され、
前記シーケンス番号の前記他方の部分は、前記シーケンス番号表示情報を使用することによって明示的に示される請求項４に記載の方法。
【請求項６】
前記シーケンス番号は、２つの部分を含み、前記シーケンス番号の前記一方の部分は、バイナリービット形式での最小ビット部分であり、
前記シーケンス番号の前記他方の部分は、前記シーケンス番号の前記バイナリービット形式での有効ビット部分である請求項１乃至５のいずれか一項に記載の方法。
【請求項７】
前記有効ビット部分は３つのビットであり、および／または
前記最小ビット部分は３つのビットである
請求項６に記載の方法。
【請求項８】
前記最小ビット部分は、前記黙示的なスクランブリングコードを使用することによって示され、
前記有効ビット部分は、前記シーケンス番号表示情報を使用することによって明示的に示される請求項６または７に記載の方法。
【請求項９】
前記同期信号ブロックの量は６４である請求項８に記載の方法。
【請求項１０】
前記同期信号ブロックの前記量は、８以下であり、
前記シーケンス番号は、前記スクランブリングコードを使用することによって黙示的に示される請求項１乃至９のいずれか一項に記載の方法。
【請求項１１】
前記同期信号ブロックの前記量は、８以下であり、
前記最小ビット部分は、前記スクランブリングコードを使用することによって黙示的に示される請求項６乃至１０のいずれか一項に記載の方法。
【請求項１２】
同期信号ブロックを検知するステップであって、前記同期信号ブロックは、同期信号およびブロードキャスト信号を含む、ステップと、
前記ブロードキャスト信号において搬送されているシーケンス番号表示情報、および前記ブロードキャスト信号のスクランブリングコードのうちの少なくとも１つに基づいて前記同期信号ブロックのシーケンス番号を決定するステップであって、前記シーケンス番号は、複数の同期信号ブロックにおける前記同期信号ブロックのロケーションを示す、ステップと
を含む信号伝送方法。
【請求項１３】
前記シーケンス番号は、前記スクランブリングコードおよび前記シーケンス番号表示情報を使用することによって共同で決定される請求項１２に記載の方法。
【請求項１４】
前記シーケンス番号は、組み合わされた黙示的かつ明示的な様式で決定される請求項１２または１３に記載の方法。
【請求項１５】
前記シーケンス番号は、２つの部分を含み、前記シーケンス番号の一方の部分は、前記スクランブリングコードを使用することによって決定され、
前記シーケンス番号の他方の部分は、前記シーケンス番号表示情報を使用することによって決定される請求項１２乃至１４のいずれか一項に記載の方法。
【請求項１６】
前記シーケンス番号の前記一方の部分は、前記スクランブリングコードを使用することによって黙示的に決定され、
前記シーケンス番号の前記他方の部分は、前記シーケンス番号表示情報を使用することによって明示的に決定される請求項１５に記載の方法。
【請求項１７】
前記シーケンス番号は、２つの部分を含み、前記シーケンス番号の前記一方の部分は、バイナリービット形式での最小ビット部分であり、
前記シーケンス番号の前記他方の部分は、前記シーケンス番号の前記バイナリービット形式での有効ビット部分である請求項１２乃至１６のいずれか一項に記載の方法。
【請求項１８】
前記有効ビット部分は３つのビットであり、および／または
前記最小ビット部分は３つのビットである
請求項１７に記載の方法。
【請求項１９】
前記最小ビット部分は、前記スクランブリングコードを使用することによって黙示的に決定され、
前記有効ビット部分は、前記シーケンス番号表示情報を使用することによって明示的に決定される請求項１７または１８に記載の方法。
【請求項２０】
前記同期信号ブロックの量は６４である請求項１９に記載の方法。
【請求項２１】
前記同期信号ブロックの前記量は、８以下であり、
前記シーケンス番号は、前記スクランブリングコードを使用することによって黙示的に決定される請求項１２乃至２０のいずれか一項に記載の方法。
【請求項２２】
前記同期信号ブロックの前記量は、８以下であり、
前記最小ビット部分は、前記スクランブリングコードを使用することによって黙示的に決定される請求項１７乃至２１のいずれか一項に記載の方法。
【請求項２３】
プロセッサとトランシーバとを含む信号伝送装置であって、
前記プロセッサは、同期信号ブロックを生成するように構成されており、前記同期信号ブロックは、同期信号およびブロードキャスト信号を含み、前記同期信号ブロックのシーケンス番号は、前記ブロードキャスト信号において搬送されているシーケンス番号表示情報、および前記ブロードキャスト信号のスクランブリングコードのうちの少なくとも１つを使用することによって示され、前記シーケンス番号は、複数の同期信号ブロックにおける前記同期信号ブロックのロケーションを示し、
前記トランシーバは、前記同期信号ブロックを送信するように構成されている信号伝送装置。
【請求項２４】
前記シーケンス番号は、前記スクランブリングコードおよび前記シーケンス番号表示情報を使用することによって共同で示される請求項２３に記載の装置。
【請求項２５】
前記シーケンス番号は、組み合わされた黙示的かつ明示的な様式で示される請求項２３または２４に記載の装置。
【請求項２６】
前記シーケンス番号は、２つの部分を含み、前記シーケンス番号の一方の部分は、前記スクランブリングコードを使用することによって示され、
前記シーケンス番号の他方の部分は、前記シーケンス番号表示情報を使用することによって示される請求項２３乃至２５のいずれか一項に記載の装置。
【請求項２７】
前記シーケンス番号の前記一方の部分は、前記スクランブリングコードを使用することによって黙示的に示され、
前記シーケンス番号の前記他方の部分は、前記シーケンス番号表示情報を使用することによって明示的に示される請求項２６に記載の装置。
【請求項２８】
前記シーケンス番号は、２つの部分を含み、前記シーケンス番号の前記一方の部分は、バイナリービット形式での最小ビット部分であり、
前記シーケンス番号の前記他方の部分は、前記シーケンス番号の前記バイナリービット形式での有効ビット部分である請求項２３乃至２７のいずれか一項に記載の装置。
【請求項２９】
前記有効ビット部分は３つのビットであり、および／または
前記最小ビット部分は３つのビットである
請求項２８に記載の装置。
【請求項３０】
前記最小ビット部分は、前記スクランブリングコードを使用することによって黙示的に示され、
前記有効ビット部分は、前記シーケンス番号表示情報を使用することによって明示的に示される
請求項２８または２９に記載の装置。
【請求項３１】
前記同期信号ブロックの量は６４である請求項３０に記載の装置。
【請求項３２】
前記同期信号ブロックの前記量は、８以下であり、
前記シーケンス番号は、前記スクランブリングコードを使用することによって黙示的に示される請求項２３乃至３１のいずれか一項に記載の装置。
【請求項３３】
前記同期信号ブロックの前記量は、８以下であり、
前記最小ビット部分は、前記スクランブリングコードを使用することによって黙示的に示される請求項２６乃至３２のいずれか一項に記載の装置。
【請求項３４】
プロセッサとトランシーバとを含む信号伝送装置であって、
前記トランシーバは、同期信号ブロックを検知するように構成されており、前記同期信号ブロックは、同期信号およびブロードキャスト信号を含み、
前記プロセッサは、前記ブロードキャスト信号において搬送されているシーケンス番号表示情報、および前記ブロードキャスト信号のスクランブリングコードのうちの少なくとも１つに基づいて前記同期信号ブロックのシーケンス番号を決定するように構成されており、前記シーケンス番号は、複数の同期信号ブロックにおける前記同期信号ブロックのロケーションを示す信号伝送装置。
【請求項３５】
前記シーケンス番号は、前記スクランブリングコードおよび前記シーケンス番号表示情報を使用することによって共同で決定される請求項３４に記載の装置。
【請求項３６】
前記シーケンス番号は、組み合わされた黙示的かつ明示的な様式で示される請求項３４または３５に記載の装置。
【請求項３７】
前記シーケンス番号は、２つの部分を含み、前記シーケンス番号の一方の部分は、前記スクランブリングコードを使用することによって決定され、
前記シーケンス番号の他方の部分は、前記シーケンス番号表示情報を使用することによって決定される請求項３４乃至３６のいずれか一項に記載の装置。
【請求項３８】
前記シーケンス番号の前記一方の部分は、前記スクランブリングコードを使用することによって黙示的に決定され、
前記シーケンス番号の前記他方の部分は、前記シーケンス番号表示情報を使用することによって明示的に決定される請求項３７に記載の装置。
【請求項３９】
前記シーケンス番号は、２つの部分を含み、前記シーケンス番号の前記一方の部分は、バイナリービット形式での最小ビット部分であり、
前記シーケンス番号の前記他方の部分は、前記シーケンス番号の前記バイナリービット形式での有効ビット部分である請求項３４乃至３８のいずれか一項に記載の装置。
【請求項４０】
前記有効ビット部分は３つのビットであり、および／または
前記最小ビット部分は３つのビットである
請求項３９に記載の装置。
【請求項４１】
前記最小ビット部分は、前記スクランブリングコードを使用することによって黙示的に決定され、
前記有効ビット部分は、前記シーケンス番号表示情報を使用することによって明示的に決定される
請求項３９または４０に記載の装置。
【請求項４２】
前記同期信号ブロックの量は６４である請求項４１に記載の装置。
【請求項４３】
前記同期信号ブロックの量は、８以下であり、
前記シーケンス番号は、前記スクランブリングコードを使用することによって黙示的に決定される請求項３４乃至３８のいずれか一項に記載の装置。
【請求項４４】
前記同期信号ブロックの前記量は、８以下であり、
前記最小ビット部分は、前記スクランブリングコードを使用することによって黙示的に決定される請求項３９乃至４３のいずれか一項に記載の装置。
【請求項４５】
コンピュータストレージメディアであって、前記コンピュータストレージメディアは、プログラムコードを格納しており、前記プログラムコードは、請求項１乃至２２のいずれか一項に記載の方法を実行するように指示するために使用されることが可能であるコンピュータストレージメディア。
【請求項４６】
命令を含むコンピュータプログラム製品であって、前記コンピュータプログラム製品がコンピュータ上で稼働されたときに、前記コンピュータは、請求項１乃至２２のいずれか一項に記載の方法を実行することを可能にされるコンピュータプログラム製品。
【請求項４７】
請求項２３乃至３３のいずれか一項に記載の装置と、請求項３４乃至４４のいずれか一項に記載の装置とを含むシステム。
【請求項４８】
プロセッサと、メモリと、トランシーバとを含む信号伝送装置であって、前記メモリは、プログラムを格納しており、前記プログラムが前記プロセッサによって実行されたときに、前記装置は、請求項１乃至２２のいずれか一項に記載の方法を実行するように構成されている信号伝送装置。
【発明の詳細な説明】
【技術分野】
【０００１】
本出願は、通信分野に関連しており、より具体的には、信号伝送方法および装置に関連している。
【背景技術】
【０００２】
本出願は、２０１７年５月４日に中国特許庁に出願された「ＳＩＧＮＡＬ  ＴＲＡＮＳＭＩＳＳＩＯＮ  ＭＥＴＨＯＤ  ＡＮＤ  ＡＰＰＡＲＡＴＵＳ」と題されている中国特許出願第２０１７１０３０９３２５．１号明細書に対する優先権を主張するものであり、この中国特許出願第２０１７１０３０９３２５．１号明細書は、その全体が参照によって本明細書に組み込まれている。
【０００３】
ロングタームエボリューション（Ｌｏｎｇ  Ｔｅｒｍ  Ｅｖｏｌｕｔｉｏｎ、ＬＴＥ）においては、同期信号（Ｓｙｎｃｈｒｏｎｉｚａｔｉｏｎ  Ｓｉｇｎａｌ、ＳＳ）の基本的な機能のうちの１つが、無線リソースフレームの開始ロケーションを示すことである。プライマリー同期信号（Ｐｒｉｍａｒｙ  Ｓｙｎｃｈｒｏｎｉｚａｔｉｏｎ  Ｓｉｇｎａｌ、ＰＳＳ）が、５ｍｓごとに送信される。セカンダリー同期信号（Ｓｅｃｏｎｄａｒｙ  Ｓｙｎｃｈｒｏｎｉｚａｔｉｏｎ  Ｓｉｇｎａｌ、ＳＳＳ）とプライマリー同期信号との間には、固定された時間差がある。同じ無線フレームにおいては、隣接するセカンダリー同期信号どうしは異なる。したがって、ＰＳＳ信号を検知することによって５ｍｓという時間ウィンドウが入手され、ＳＳＳを検知することによって無線フレームの開始ロケーションが入手される。
【０００４】
５Ｇ新無線アクセス（Ｎｅｗ  Ｒａｄｉｏ  Ａｃｃｅｓｓ、ＮＲ）システムにおいては、同期信号およびブロードキャスト信号が、共同で同期信号ブロック（Ｓｙｎｃｈｒｏｎｉｚａｔｉｏｎ  Ｓｉｇｎａｌ  ｂｌｏｃｋ、ＳＳブロック）を形成する。具体的には、ＮＲプライマリー同期信号（ＮＲ−ＰＳＳ）、ＮＲセカンダリー同期信号（ＮＲ−ＳＳＳ）、およびＮＲブロードキャストチャネル（ＮＲ−Ｐｈｙｓｉｃａｌ  Ｂｒｏａｄｃａｓｔ  Ｃｈａｎｎｅｌ、ＮＲ−ＰＢＣＨ）が、１つのＳＳブロックにおいて送信される。１つまたは複数のＳＳブロックが、１つの同期信号バースト（ＳＳバースト）を形成する。１つまたは複数のＳＳバーストが、１つの同期信号バーストセット（ＳＳバーストセット）を形成する。ＳＳバーストセットが、周期的に送信される。
【０００５】
ＮＲ高周波シナリオにおいては、パスロスに対してビームフォーミングが使用され、したがって同期信号およびブロードキャスト信号も、ポーリング様式で複数のビームを使用することによって送信される。端末デバイスがビームを使用することによってアクセスを実行する場合には、その端末デバイスは、少なくとも１つの完全な同期信号および重要なシステム情報を入手することを必要とする。その信号は、１つのＳＳブロックに属する。１つのＳＳバーストセット期間においては複数のＳＳブロックがあり得るので、システムは、それらの複数のＳＳブロックにおけるそのＳＳブロックのロケーションを示すことをさらに必要とする。したがって、同期信号ブロックのロケーションをどのようにして効果的に示すかが、ＮＲシステムにおいて解決されるべき緊急の技術的な問題になっている。
【発明の概要】
【０００６】
本出願は、同期信号ブロックのロケーションを効果的に示すための信号伝送方法および装置を提供する。
【０００７】
第１の態様によれば、信号伝送方法が提供される。この方法は、
同期信号ブロックを生成するステップであって、同期信号ブロックは、同期信号およびブロードキャスト信号を含み、同期信号ブロックのシーケンス番号は、ブロードキャスト信号において搬送されているシーケンス番号表示情報、ブロードキャスト信号のスクランブリングコード、ブロードキャスト信号の巡回冗長検査ＣＲＣマスク、ブロードキャスト信号の全単射変換パラメータ、ブロードキャスト信号のチャネルコーディングの循環シフト情報、およびブロードキャスト信号において搬送されているシステムフレーム番号のうちの少なくとも１つを使用することによって示され、シーケンス番号は、複数の同期信号ブロックにおけるその同期信号ブロックのロケーションを示す、ステップと、
同期信号ブロックを送信するステップとを含む。
【０００８】
本出願のこの実施形態における技術的なソリューションにおいては、同期信号ブロックのシーケンス番号は、ブロードキャスト信号において搬送されているシーケンス番号表示情報、ブロードキャスト信号のスクランブリングコード、ブロードキャスト信号のＣＲＣマスク、ブロードキャスト信号の全単射変換パラメータ、ブロードキャスト信号のチャネルコーディングの循環シフト情報、およびブロードキャスト信号において搬送されているシステムフレーム番号のうちの少なくとも１つを使用することによって示され、それによって同期信号ブロックのロケーションが効果的に示されることが可能である。
【０００９】
いくつかの可能な実装においては、同期信号ブロックのシーケンス番号は、シーケンス番号表示情報、スクランブリングコード、ＣＲＣマスク、全単射変換パラメータ、循環シフト情報、およびシステムフレーム番号のうちの２つを使用することによって共同で示される。
【００１０】
いくつかの可能な実装においては、シーケンス番号は、同期信号バーストまたは同期信号バーストセットにおける同期信号ブロックのロケーションを示す。
【００１１】
いくつかの可能な実装においては、シーケンス番号は、１つの期間において送信される複数の同期信号ブロックにおけるその同期信号ブロックのロケーションを示し得る。複数の同期信号ブロックは、１つの同期信号バーストにおける複数の同期信号ブロックであり得、または１つの同期信号バーストセットにおける複数の同期信号ブロックであり得る。
【００１２】
いくつかの可能な実装においては、シーケンス番号は、所定の量のビットを使用することによって表され得る。任意選択で、所定の量は６であり得る。具体的には、シーケンス番号を表すために６つのビットが使用され得る。６つのビットは、最大で６４個の同期信号ブロックを示し得る。任意選択で、複数の同期信号ブロックの量が６４未満である場合には、シーケンス番号のバイナリービット形式での有効ビット部分は使用されなくてよい。たとえば、同期信号ブロックの量が８である場合には、３つの最下位ビットのみが使用される必要がある。
【００１３】
いくつかの可能な実装においては、別々の量の同期信号ブロックを伴う２つのシナリオにおいては、たとえば、高周波シナリオおよび低周波シナリオにおいては、シーケンス番号は、代替として、別々の量のビットを使用することによって表され得る。
【００１４】
いくつかの可能な実装においては、シーケンス番号は、スクランブリングコード、ＣＲＣマスク、全単射変換パラメータ、循環シフト情報、およびシステムフレーム番号のうちの１つを使用することによって黙示的に示され得る。
【００１５】
いくつかの可能な実装においては、シーケンス番号は、２つの部分を含み、シーケンス番号の一方の部分は、シーケンス番号表示情報を使用することによって示され、
シーケンス番号の他方の部分は、スクランブリングコード、ＣＲＣマスク、全単射変換パラメータ、循環シフト情報、およびシステムフレーム番号のうちの１つを使用することによって示される。
【００１６】
同期信号ブロックのシーケンス番号は、組み合わされた明示的かつ黙示的な様式で示される。この方法においては、シーケンス番号表示情報を搬送するために、ブロードキャスト信号におけるさらに少ない情報ビットが使用され得、それによってブロードキャスト信号リソースを節約し、表示効率を改善する。
【００１７】
いくつかの可能な実装においては、シーケンス番号のバイナリービット形式での有効ビット部分は、スクランブリングコードを使用することによって示され、
シーケンス番号のバイナリービット形式での最小ビット部分は、シーケンス番号表示情報を使用することによって示される。
【００１８】
いくつかの可能な実装においては、シーケンス番号のバイナリービット形式での有効ビット部分は、循環シフト情報を使用することによって示され、
シーケンス番号のバイナリービット形式での最小ビット部分は、シーケンス番号表示情報を使用することによって示される。
【００１９】
いくつかの可能な実装においては、シーケンス番号のバイナリービット形式での有効ビット部分は、シーケンス番号表示情報を使用することによって示され、
シーケンス番号のバイナリービット形式での最小ビット部分は、全単射変換パラメータを使用することによって示される。
【００２０】
同じシーケンス番号表示情報を搬送する複数の同期信号ブロックにおけるブロードキャスト信号どうしは、同じコンテンツを有し、したがって複数の同期信号ブロックは、コヒーレントに結合されることが可能である。
【００２１】
いくつかの可能な実装においては、シーケンス番号のバイナリービット形式での有効ビット部分は、システムフレーム番号を使用することによって示され、
シーケンス番号のバイナリービット形式での最小ビット部分は、シーケンス番号表示情報を使用することによって示される。
【００２２】
いくつかの可能な実装においては、シーケンス番号は、２つの部分を含み、シーケンス番号の２つの部分はそれぞれ、スクランブリングコード、ＣＲＣマスク、全単射変換パラメータ、および循環シフト情報のうちの２つを使用することによって示される。
【００２３】
同期信号ブロックのシーケンス番号の両方の部分は、黙示的に示される。この方法においては、ブロードキャスト信号リソースがさらに節約され得る。加えて、同期信号ブロックのシーケンス番号は、ブロードキャスト信号を使用することによって明示的に示されず、複数の同期信号ブロックにおけるブロードキャスト信号どうしは、同じコンテンツを有し、ひいては複数の同期信号ブロックがコヒーレントに結合されることが可能である。
【００２４】
いくつかの可能な実装においては、シーケンス番号のバイナリービット形式での有効ビット部分は、ＣＲＣマスクを使用することによって示され、
シーケンス番号のバイナリービット形式での最小ビット部分は、スクランブリングコードを使用することによって示される。
【００２５】
第２の態様によれば、信号伝送方法が提供される。この方法は、
同期信号ブロックを検知するステップであって、同期信号ブロックは、同期信号およびブロードキャスト信号を含む、ステップと、
ブロードキャスト信号において搬送されているシーケンス番号表示情報、ブロードキャスト信号のスクランブリングコード、ブロードキャスト信号の巡回冗長検査ＣＲＣマスク、ブロードキャスト信号の全単射変換パラメータ、ブロードキャスト信号のチャネルコーディングの循環シフト情報、およびブロードキャスト信号において搬送されているシステムフレーム番号のうちの少なくとも１つに基づいて同期信号ブロックのシーケンス番号を決定するステップであって、シーケンス番号は、複数の同期信号ブロックにおけるその同期信号ブロックのロケーションを示す、ステップとを含む。
【００２６】
本出願のこの実施形態においては、同期信号ブロックのシーケンス番号は、ブロードキャスト信号において搬送されているシーケンス番号表示情報、ブロードキャスト信号のスクランブリングコード、ブロードキャスト信号のＣＲＣマスク、ブロードキャスト信号の全単射変換パラメータ、ブロードキャスト信号のチャネルコーディングの循環シフト情報、およびブロードキャスト信号において搬送されているシステムフレーム番号のうちの少なくとも１つを使用することによって示され、それによって同期信号ブロックのロケーションが効果的に示されることが可能である。
【００２７】
いくつかの可能な実装においては、同期信号ブロックのシーケンス番号を決定するステップは、
シーケンス番号表示情報、スクランブリングコード、ＣＲＣマスク、全単射変換パラメータ、循環シフト情報、およびシステムフレーム番号のうちの２つに基づいてシーケンス番号を決定するステップを含む。
【００２８】
いくつかの可能な実装においては、シーケンス番号は、同期信号バーストまたは同期信号バーストセットにおける同期信号ブロックのロケーションを示す。
【００２９】
いくつかの可能な実装においては、シーケンス番号は、２つの部分を含み、同期信号ブロックのシーケンス番号を決定するステップは、
シーケンス番号の一方の部分をシーケンス番号表示情報に基づいて決定するステップと、
シーケンス番号の他方の部分をスクランブリングコード、ＣＲＣマスク、全単射変換パラメータ、循環シフト情報、およびシステムフレーム番号のうちの１つに基づいて決定するステップとを含む。
【００３０】
いくつかの可能な実装においては、同期信号ブロックのシーケンス番号を決定するステップは、
シーケンス番号のバイナリービット形式での有効ビット部分をスクランブリングコードに基づいて決定するステップと、
シーケンス番号のバイナリービット形式での最小ビット部分をシーケンス番号表示情報に基づいて決定するステップとを含む。
【００３１】
いくつかの可能な実装においては、同期信号ブロックのシーケンス番号を決定するステップは、
シーケンス番号のバイナリービット形式での有効ビット部分を循環シフト情報に基づいて決定するステップと、
シーケンス番号のバイナリービット形式での最小ビット部分をシーケンス番号表示情報に基づいて決定するステップとを含む。
【００３２】
いくつかの可能な実装においては、同期信号ブロックのシーケンス番号を決定するステップは、
シーケンス番号のバイナリービット形式での有効ビット部分をシーケンス番号表示情報に基づいて決定するステップと、
シーケンス番号のバイナリービット形式での最小ビット部分を全単射変換パラメータに基づいて決定するステップとを含む。
【００３３】
いくつかの可能な実装においては、同期信号ブロックのシーケンス番号を決定するステップは、
シーケンス番号のバイナリービット形式での有効ビット部分をシステムフレーム番号に基づいて決定するステップと、
シーケンス番号のバイナリービット形式での最小ビット部分をシーケンス番号表示情報に基づいて決定するステップとを含む。
【００３４】
いくつかの可能な実装においては、シーケンス番号は、２つの部分を含み、同期信号ブロックのシーケンス番号を決定するステップは、
シーケンス番号の２つの部分をそれぞれスクランブリングコード、ＣＲＣマスク、全単射変換パラメータ、および循環シフト情報のうちの２つに基づいて決定するステップを含む。
【００３５】
いくつかの可能な実装においては、同期信号ブロックのシーケンス番号を決定するステップは、
シーケンス番号のバイナリービット形式での有効ビット部分をＣＲＣマスクに基づいて決定するステップと、
シーケンス番号のバイナリービット形式での最小ビット部分をスクランブリングコードに基づいて決定するステップとを含む。
【００３６】
第３の態様によれば、信号伝送装置が提供される。この装置は、プロセッサおよびトランシーバを含み、第１の態様または第１の態様の可能な実装のうちのいずれか１つによる方法を実行することが可能である。
【００３７】
第４の態様によれば、信号伝送装置が提供される。この装置は、プロセッサおよびトランシーバを含み、第２の態様または第２の態様の可能な実装のうちのいずれか１つによる方法を実行することが可能である。
【００３８】
第５の態様によれば、コンピュータストレージメディアが提供される。このコンピュータストレージメディアは、プログラムコードを格納しており、そのプログラムコードは、第１の態様もしくは第１の態様の可能な実装のうちのいずれか１つによる方法、または第２の態様もしくは第２の態様の可能な実装のうちのいずれか１つによる方法を実行するように指示するために使用されることが可能である。
【００３９】
第６の態様によれば、命令を含むコンピュータプログラム製品が提供される。このコンピュータプログラム製品がコンピュータ上で稼働されたときに、そのコンピュータは、第１の態様もしくは第１の態様の可能な実装のうちのいずれか１つによる方法、または第２の態様もしくは第２の態様の可能な実装のうちのいずれか１つによる方法を実行することを可能にされる。
【図面の簡単な説明】
【００４０】
【図１】本出願の実施形態に適用されるシステムの概略図である。
【図２】ＮＲシステムにおける同期およびブロードキャストチャネルのリソース構造の概略図である。
【図３】本出願の実施形態による信号伝送方法の概略フローチャートである。
【図４】本出願の実施形態による同期信号ブロックのシーケンス番号を示す様式の概略図である。
【図５】本出願の別の実施形態による同期信号ブロックのシーケンス番号を示す様式の概略図である。
【図６】本出願のさらに別の実施形態による同期信号ブロックのシーケンス番号を示す様式の概略図である。
【図７】本出願のさらに別の実施形態による同期信号ブロックのシーケンス番号を示す様式の概略図である。
【図８】本出願のさらに別の実施形態による同期信号ブロックのシーケンス番号を示す様式の概略図である。
【図９】本出願の実施形態による信号伝送装置の概略ブロック図である。
【図１０】本出願の別の実施形態による信号伝送装置の概略ブロック図である。
【発明を実施するための形態】
【００４１】
以降では、添付の図面を参照しながら本出願の技術的なソリューションについて記述している。
【００４２】
図１は、本出願の実施形態に適用されるシステムの概略図である。図１において示されているように、システム１００は、ネットワークデバイス１０２、ならびに端末デバイス１０４、１０６、１０８、１１０、１１２、および１１４を含み得る。ネットワークデバイスおよび端末デバイスは、ワイヤレスに接続される。図１は、システムが１つだけのネットワークデバイスを含む例を使用することによって記述されているということを理解されたい。しかしながら、本出願のこの実施形態は、それには限定されない。たとえば、システムは、代替として、より多くのネットワークデバイスを含み得る。同様に、システムは、代替として、より多くの端末デバイスを含み得る。システムはネットワークとも呼ばれ得るということをさらに理解されたい。これは、本出願のこの実施形態においては限定されない。
【００４３】
本明細書は、端末デバイスに関連した実施形態について記述している。端末デバイスは、ユーザ機器（Ｕｓｅｒ  Ｅｑｕｉｐｍｅｎｔ、ＵＥ）、アクセス端末、サブスクライバーユニット、サブスクライバーステーション、移動局、モバイルコンソール、リモートステーション、リモート端末、モバイルデバイス、ユーザ端末、端末、ワイヤレス通信デバイス、ユーザエージェント、またはユーザ装置と呼ばれ得る。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、携帯情報端末（Ｐｅｒｓｏｎａｌ  Ｄｉｇｉｔａｌ  Ａｓｓｉｓｔａｎｔ、ＰＤＡ）、ワイヤレス通信機能を有するハンドヘルドデバイス、コンピューティングデバイス、ワイヤレスモデムに接続されている別の処理デバイス、車載デバイス、ウェアラブルデバイス、将来の５Ｇネットワークにおける端末デバイス、または将来の進化したパブリックランドモバイルネットワーク（Ｐｕｂｌｉｃ  Ｌａｎｄ  Ｍｏｂｉｌｅ  Ｎｅｔｗｏｒｋ、ＰＬＭＮ）における端末デバイスなどであり得る。
【００４４】
限定ではなく、例として、本出願の実施形態においては、端末デバイスはまた、ウェアラブルデバイスであり得る。ウェアラブルデバイスは、ウェアラブルスマートデバイスと呼ばれることもあり、着用されることが可能であって、かつウェアラブルテクノロジーを適用することによって日常の着用をインテリジェントに設計することによって開発されるメガネ、手袋、腕時計、衣服、または靴などのデバイスを表す一般的な用語である。ウェアラブルデバイスは、身体上に直接着用される、またはユーザの衣服もしくはアクセサリーへと統合されるポータブルデバイスである。ウェアラブルデバイスは、ハードウェアデバイスを超えるものであり、ソフトウェアサポート、データのやり取り、およびクラウド対話を通じて強力な機能を実施する。一般的なウェアラブルスマートデバイスは、スマートウォッチまたはスマートメガネなど、スマートフォンを伴わずにすべてのまたはいくつかの機能を実施することが可能であるフル機能を備えた大きなサイズのデバイス、およびバイタルサインモニタリング用のさまざまなスマートバンドまたはスマートジュエリーなど、１つの特定のタイプのアプリケーション機能のみに特化していて、かつスマートフォンなどの別のデバイスとともに使用されることを必要とするデバイスを含む。
【００４５】
本明細書は、ネットワークデバイスに関連した実施形態について記述している。ネットワークデバイスは、端末デバイスと通信するためのデバイスであり得る。ネットワークデバイスは、グローバルシステムフォーモバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎｓ、ＧＳＭ）もしくは符号分割多元接続（Ｃｏｄｅ  Ｄｉｖｉｓｉｏｎ  Ｍｕｌｔｉｐｌｅ  Ａｃｃｅｓｓ、ＣＤＭＡ）システムにおけるベーストランシーバステーション（Ｂａｓｅ  Ｔｒａｎｓｃｅｉｖｅｒ  Ｓｔａｔｉｏｎ、ＢＴＳ）であり得、もしくはワイドバンド符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システムにおけるＮｏｄｅＢ（ＮｏｄｅＢ、ＮＢ）であり得、もしくはロングタームエボリューション（Ｌｏｎｇ  Ｔｅｒｍ  Ｅｖｏｌｕｔｉｏｎ、ＬＴＥ）システムにおけるエボルブドＮｏｄｅＢ（Ｅｖｏｌｕｔｉｏｎａｌ  ＮｏｄｅＢ、ｅＮＢもしくはｅＮｏｄｅＢ）であり得、もしくはクラウド無線アクセスネットワーク（Ｃｌｏｕｄ  Ｒａｄｉｏ  Ａｃｃｅｓｓ  Ｎｅｔｗｏｒｋ、ＣＲＡＮ）シナリオにおける無線コントローラであり得、またはネットワークデバイスは、中継局、アクセスポイント、車載デバイス、ウェアラブルデバイス、将来５Ｇネットワークにおけるネットワークデバイス、将来の進化したＰＬＭＮネットワークにおけるネットワークデバイスなどであり得る。
【００４６】
加えて、本出願の実施形態においては、ネットワークデバイスは、セルのためのサービスを提供する。端末デバイスは、セルにおいて使用されている伝送リソース（たとえば、周波数ドメインリソースまたはスペクトルリソース）を使用することによってネットワークデバイスと通信する。セルは、ネットワークデバイス（たとえば、基地局）に対応するセルであり得る。セルは、マクロ基地局、またはスモールセル（ｓｍａｌｌ  ｃｅｌｌ）に対応する基地局に属し得る。本明細書におけるスモールセルは、メトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）などを含み得る。スモールセルは、小さなカバレッジおよび低い伝送電力などの特徴を有し、高速データ伝送サービスを提供することに適用可能である。加えて、セルは、ハイパーセル（Ｈｙｐｅｒｃｅｌｌ）であり得る。
【００４７】
ハイパーセルネットワークアーキテクチャーにおいては、ネットワークデバイスは、１つの集中ユニット（Ｃｅｎｔｒａｌｉｚｅｄ  Ｕｎｉｔ、ＣＵ）および複数の伝送受信ポイント（Ｔｒａｎｓｍｉｓｓｉｏｎ  Ｒｅｃｅｐｔｉｏｎ  Ｐｏｉｎｔ、ＴＲＰ）／分散ユニット（Ｄｉｓｔｒｉｂｕｔｅｄ  Ｕｎｉｔ、ＤＵ）へと分けられ得る。言い換えれば、ネットワークデバイスの帯域幅ベースユニット（Ｂａｎｄｗｉｄｔｈ  Ｂａｓｅｄ  Ｕｎｉｔ、ＢＢＵ）が、ＤＵ機能エンティティーおよびＣＵ機能エンティティーとして再構築される。集中ユニットおよびＴＲＰ／ＤＵの形態および量は、本出願の実施形態上の限定を構成しないということに留意されたい。
【００４８】
ＣＵは、無線上位レイヤプロトコルスタック機能、たとえば、無線リソース制御（Ｒａｄｉｏ  Ｒｅｓｏｕｒｃｅ  Ｃｏｎｔｒｏｌ、ＲＲＣ）レイヤおよびパケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）レイヤを処理し、アクセスネットワークにおけるいくつかのコアネットワーク機能をサポートすることさえ可能である。いくつかのコアネットワーク機能をサポートするアクセスネットワークは、エッジコンピューティングネットワークと呼ばれている。アクセスネットワークは、ビデオ、オンラインショッピング、および仮想／拡張現実などの台頭しているサービスに関する将来の通信ネットワーク上でのさらに高いネットワーク待ち時間要件を満たすことが可能である。
【００４９】
ＤＵは、主として、物理レイヤ機能と、より高いリアルタイム要件を伴うレイヤ２機能とを処理する。無線リモートユニット（Ｒａｄｉｏ  Ｒｅｍｏｔｅ  Ｕｎｉｔ、ＲＲＵ）およびＤＵの伝送リソースを考慮して、ＤＵのいくつかの物理レイヤ機能は、ＲＲＵ上に展開され得る。ＲＲＵの小型化に伴って、より根本的に、ＤＵはＲＲＵと結合され得る。
【００５０】
ＣＵがともにアレンジされることが可能である。ＤＵのレイアウトは、実際のネットワーク環境に依存する。高いトラフィック密度、小さなサイト間距離、および限られた装備の部屋のリソースを伴うエリア、たとえば、コアアーバンエリア、大学、および大規模なパフォーマンス会場においては、ＤＵはまた、集中様式でアレンジされ得る。しかしながら、低いトラフィック密度および大きなサイト間距離を伴うエリア、たとえば、郊外および山間エリアにおいては、ＤＵは、分散様式でアレンジされ得る。
【００５１】
図２は、ＮＲシステムにおける同期およびブロードキャストチャネルのリソース構造の例の概略図である。図２において示されているように、ＮＲにおいては、同期信号およびブロードキャスト信号が、共同で１つのＳＳブロックを形成し、１つまたは複数のＳＳブロックが、１つのＳＳバーストを形成し、１つまたは複数のＳＳバーストが、１つのＳＳバーストセットを形成する。ＳＳバーストセット期間など、１つの伝送期間において複数のＳＳブロックがあり得る。端末デバイスは、同期信号を検知することのみによって、複数のＳＳブロックにおける検知されたＳＳブロックのロケーションを決定することは不可能である。具体的には、端末デバイスは、検知されたＳＳブロックの時間インデックス（Ｔｉｍｅ−ｉｎｄｅｘ）を決定することが不可能である（時間インデックスは、説明を容易にするために、同期信号ブロックのシーケンス番号と呼ばれ得る）。その結果として、時刻同期が実施されることが不可能であり、無線フレーム構造が決定されることが不可能である。
【００５２】
本出願の実施形態は、同期信号ブロックのロケーションを効果的に示すために、ＮＲに適している信号伝送ソリューションを提供する。以降では、本出願の実施形態における技術的なソリューションについて詳細に記述する。
【００５３】
図３は、本出願の実施形態による信号伝送方法の概略フローチャートである。図３におけるネットワークデバイスは、図１におけるネットワークデバイス１０２であり得る。端末デバイスは、図１における端末デバイス１０４、１０６、１０８、１１０、１１２、および１１４のうちの端末デバイスであり得る。もちろん、実際のシステムにおいては、ネットワークデバイスおよび端末デバイスの量は、この実施形態または別の実施形態における例に限定されなくてよい。詳細が以降で再び記述されることはない。
【００５４】
３１０．  ネットワークデバイスは、同期信号ブロックを生成し、同期信号ブロックは、同期信号およびブロードキャスト信号を含み得、同期信号ブロックのシーケンス番号は、ブロードキャスト信号において搬送されているシーケンス番号表示情報、ブロードキャスト信号のスクランブリングコード、ブロードキャスト信号の巡回冗長検査ＣＲＣマスク、ブロードキャスト信号の全単射変換パラメータ、ブロードキャスト信号のチャネルコーディングの循環シフト情報、およびブロードキャスト信号において搬送されているシステムフレーム番号のうちの少なくとも１つを使用することによって示され、同期信号ブロックのシーケンス番号は、複数の同期信号ブロックにおけるその同期信号ブロックのロケーションを示す。
【００５５】
本出願のこの実施形態においては、同期信号ブロック内に含まれる同期信号は、プライマリー同期信号（説明を容易にするために、ＮＲ−ＰＳＳまたは略してＰＳＳ）およびセカンダリー同期信号（説明を容易にするために、ＮＲ−ＳＳＳまたは略してＳＳＳ）を含み得、同期信号は、主要な同期機能を実施するために使用され得る。加えて、本出願のこの実施形態の例は、同期信号ブロックのシーケンス番号を示す様式を提供する。具体的には、同期信号ブロックのシーケンス番号は、同期信号ブロック内に含まれているブロードキャスト信号において搬送されているシーケンス番号表示情報、ブロードキャスト信号のスクランブリングコード、ブロードキャスト信号の巡回冗長検査（Ｃｙｃｌｉｃ  Ｒｅｄｕｎｄａｎｃｙ  Ｃｈｅｃｋ、ＣＲＣ）マスク、ブロードキャスト信号の全単射変換パラメータ、ブロードキャスト信号のチャネルコーディングの循環シフト情報、およびブロードキャスト信号において搬送されているシステムフレーム番号のうちの少なくとも１つを使用することによって示される。
【００５６】
本出願のこの実施形態においては、同期信号ブロックのシーケンス番号は、複数の同期信号ブロックにおけるその同期信号ブロックのロケーションを示し、シーケンス番号は、時間インデックスとも呼ばれ得る。
【００５７】
任意選択で、本出願の実施形態においては、同期信号ブロックのシーケンス番号は、同期信号バーストまたは同期信号バーストセットにおける同期信号ブロックのロケーションを示し得る。
【００５８】
具体的には、同期信号ブロックのシーケンス番号は、１つの期間において送信される複数の同期信号ブロックにおけるその同期信号ブロックのロケーションを示し得る。複数の同期信号ブロックは、１つの同期信号バーストにおける複数の同期信号ブロックであり得、または１つの同期信号バーストセットにおける複数の同期信号ブロックであり得る。
【００５９】
任意選択で、複数の同期信号ブロックの量は、ビームフォーミングのために使用されるビームの量に関連し得る。具体的には、比較的大量のビームがある場合には、比較的大量の複数の同期信号ブロックがある。比較的少量のビームがある場合には、比較的少量の複数の同期信号ブロックがある。例においては、高周波シナリオに関しては、複数の同期信号ブロックの量は６４であり得る。低周波シナリオに関しては、複数の同期信号ブロックの量は８または４であり得る。しかしながら、これは、本出願のこの実施形態においては限定されない。
【００６０】
任意選択で、シーケンス番号は、所定の量のビットを使用することによって表され得る。別々の量の同期信号ブロックを伴う２つのシナリオにおいては、たとえば、高周波シナリオおよび低周波シナリオにおいては、シーケンス番号は、同じ量のビットを使用することによって表され得る。ビットの所定の量は、本出願のこの実施形態においては限定されない。例においては、ビットの所定の量は６であり得る。具体的には、シーケンス番号を表すために６つのビットが使用され得る。６つのビットは、最大で６４個の同期信号ブロックを示し得る。任意選択で、複数の同期信号ブロックの量が６４未満である場合には、シーケンス番号のバイナリービット形式での有効ビット部分は使用されなくてよい。たとえば、低周波シナリオにおいて、同期信号ブロックの量が８である場合には、３つの最下位ビットのみが使用される必要がある。
【００６１】
別々の量の同期信号ブロックを伴う２つのシナリオにおいては、たとえば、高周波シナリオおよび低周波シナリオにおいては、シーケンス番号は、代替として、別々の量のビットを使用することによって表され得るということを理解されたい。これは、本出願のこの実施形態においては限定されない。
【００６２】
本出願のこの実施形態においては、同期信号ブロックのシーケンス番号は、ブロードキャスト信号において搬送されているシーケンス番号表示情報、ブロードキャスト信号のスクランブリングコード、ブロードキャスト信号のＣＲＣマスク、ブロードキャスト信号の全単射変換パラメータ、ブロードキャスト信号のチャネルコーディングの循環シフト情報、およびブロードキャスト信号において搬送されているシステムフレーム番号のうちの少なくとも１つを使用することによって示される。ブロードキャスト信号がシーケンス番号表示情報を搬送する様式は、明示的な表示様式であり得、別の表示様式は、黙示的な表示様式であり得る。
【００６３】
同期信号ブロックにおけるブロードキャスト信号は、主要なシステム情報、たとえば、マスター情報ブロック（Ｍａｓｔｅｒ  Ｉｎｆｏｒｍａｔｉｏｎ  Ｂｌｏｃｋ、ＭＩＢ）を搬送し得る。本出願のこの実施形態においては、ブロードキャスト信号は、シーケンス番号表示情報を搬送するために使用され得、シーケンス番号表示情報は、同期信号ブロックのシーケンス番号を示すために使用され、シーケンス番号表示情報は、同期信号ブロックのシーケンス番号を明示的に示すために特に使用され得る。
【００６４】
ブロードキャスト信号は、さまざまな同期信号ブロックのシーケンス番号を示すためにさまざまなスクランブリングコードを使用し得る。たとえば、４つのシーケンス番号をそれぞれ示すために、４つのスクランブリングコードが使用され得る。同様に、さまざまな同期信号ブロックのシーケンス番号を示すために、さまざまなＣＲＣマスク、さまざまな全単射変換パラメータ、さまざまな循環シフト情報、またはさまざまなシステムフレーム番号が使用され得る。具体的には、黙示的表示が使用され得、さまざまなスクランブリングコード、さまざまなＣＲＣマスク、さまざまな全単射変換パラメータ、さまざまな循環シフト情報、またはさまざまなシステムフレーム番号の知得は、同期信号ブロックのシーケンス番号の知得を意味する。具体的な実施は、同期信号ブロックのシーケンス番号が、さまざまな同期信号ブロックのシーケンス番号と、さまざまなスクランブリングコード、さまざまなＣＲＣマスク、さまざまな全単射変換パラメータ、さまざまな循環シフト情報、またはさまざまなシステムフレーム番号との間における対応に基づいて示され得るということであり得る。その対応は、式、表などの形態で表され得る。
【００６５】
任意選択で、本出願の実施形態においては、同期信号ブロックのシーケンス番号は、シーケンス番号表示情報、スクランブリングコード、ＣＲＣマスク、全単射変換パラメータ、循環シフト情報、およびシステムフレーム番号のうちの１つを使用することによって示され得る。たとえば、同期信号ブロックの量が比較的少ない場合には、前述の表示のうちの１つのみが使用され得る。本出願の実施形態においては、シーケンス番号は、スクランブリングコード、ＣＲＣマスク、全単射変換パラメータ、循環シフト情報、およびシステムフレーム番号のうちの１つを使用することによって黙示的に示され得る。たとえば、同期信号ブロックの量が４である場合には、４つの同期信号ブロックのシーケンス番号をそれぞれ示すために、４つのスクランブリングコードが使用され得る。
【００６６】
任意選択で、本出願の実施形態においては、シーケンス番号は、シーケンス番号表示情報、スクランブリングコード、ＣＲＣマスク、全単射変換パラメータ、循環シフト情報、およびシステムフレーム番号のうちの２つを使用することによって共同で示され得る。具体的には、シーケンス番号は、２つの部分へと分けられ得、一方の部分は、前述のアイテムのうちの１つを使用することによって示され、他方の部分は、前述のアイテムのうちの別のものを使用することによって示される。
【００６７】
任意選択で、本出願の実施形態においては、シーケンス番号の一方の部分は、シーケンス番号表示情報を使用することによって示され、シーケンス番号の他方の部分は、スクランブリングコード、ＣＲＣマスク、全単射変換パラメータ、循環シフト情報、およびシステムフレーム番号のうちの１つを使用することによって示される。
【００６８】
本出願のこの実施形態においては、同期信号ブロックのシーケンス番号は、組み合わされた明示的かつ黙示的な様式で示されるということが理解され得る。この方法においては、シーケンス番号表示情報を搬送するために、ブロードキャスト信号におけるさらに少ない情報ビットが使用され得、それによってブロードキャスト信号リソースを節約し、表示効率を改善する。
【００６９】
任意選択で、本出願の実施形態においては、シーケンス番号のバイナリービット形式での有効ビット部分は、スクランブリングコードを使用することによって示される。もちろん、本出願の実施形態における有効ビット部分および最小ビット部分は、本出願の実施形態の範囲内に収まる別の形式、たとえば、８進法形式、１０進法形式、または１６進法形式でもあり得る。本出願のこの実施形態は、例としてバイナリービット形式を使用することによって記述されているが、バイナリービット形式には限定されない。
【００７０】
シーケンス番号のバイナリービット形式での最小ビット部分は、シーケンス番号表示情報を使用することによって示される。
【００７１】
具体的には、この実施形態においては、同期信号ブロックのシーケンス番号は、ブロードキャスト信号表示とスクランブリングコード表示とを組み合わせる様式で示される。シーケンス番号のバイナリービット形式での最小ビット部分は、ブロードキャスト信号において搬送され、シーケンス番号のバイナリービット形式での有効ビット部分は、さまざまなスクランブリングコードを使用することによって示される。
【００７２】
図４において示されているように、同期信号ブロックにおけるブロードキャスト信号は、シーケンス番号表示情報を搬送し、シーケンス番号表示情報の情報ビットは、同期信号ブロックのシーケンス番号のバイナリービット形式での最小ビット部分であり得る。加えて、シーケンス番号のバイナリービット形式での有効ビット部分は、さまざまなスクランブリングコードを使用することによって示される。
【００７３】
たとえば、同期信号ブロックの量が６４であり、同期信号ブロックのシーケンス番号が、６つのビットを使用することによって表され得ると想定される。２つの有効ビット（ｓｉｇｎｉｆｉｃａｎｔ  ｂｉｔ）があり得、それらの有効ビットの４つの値が、４つのスクランブリングコードを使用することによって表され得る。具体的には、４つのスクランブリングコード仮説（ｈｙｐｏｔｈｅｓｉｓ）が、２つのビットの４つの値の合計に対応している。図４におけるｎ１は４である。４つの最小ビット（ｌｅａｓｔ  ｂｉｔ）があり得、それらの最小ビットの１６個の値が、ブロードキャスト信号において直接搬送される。図４においてｎ２は１６である。
【００７４】
本出願のさまざまな実施形態においては、同期信号ブロックのシーケンス番号によって示される２つの部分におけるビットの量は入れ替えられ得、たとえば、４つのビットが有効ビットとして使用され、２つのビットが最小ビットとして使用されるということを理解されたい。この入れ替えも、本出願の実施形態として使用されるべきである。詳細が以降で再び記述されることはない。
【００７５】
それに応じて、同期信号ブロックを検知する場合に、端末デバイスは、ブロードキャスト信号のスクランブリングコードの４つの仮説を使用することによってブラインド検知を実行する。検知が成功した後に、対応する仮説に対応するシーケンス番号の有効ビットの値が決定されることが可能である。次いで、ブロードキャスト信号において搬送されているシーケンス番号表示情報を使用することによってシーケンス番号の最小ビットの値が決定されて、検知された同期信号ブロックのシーケンス番号を決定する。
【００７６】
１つの仮説における複数の同期信号ブロックにおけるブロードキャスト信号どうしは、別々のシーケンス番号表示情報を搬送する。したがって、ブロードキャスト信号どうしは、別々のコンテンツを有し、複数の同期信号ブロックがコヒーレントに結合されることは不可能である。別々の仮説のもとでの対応する同期信号ブロックどうしにおけるブロードキャスト信号どうしは、同じシーケンス番号表示情報を搬送する。したがって、対応するブロードキャスト信号どうしは、同じコンテンツを有し、同期信号ブロックどうしがコヒーレントに結合されることが可能である。
【００７７】
前述の実施形態におけるスクランブリングコードの表示様式は、別の表示様式、たとえば、ＣＲＣマスクの表示様式、全単射変換パラメータの表示様式、循環シフト情報の表示様式、またはシステムフレーム番号の表示様式へ変更され得るということを理解されたい。あるいは、前述の実施形態におけるスクランブリングのコード黙示的な表示様式は、別の黙示的な表示様式へ変更され得るということが理解され得る。簡潔にするために、ここでは詳細は記述されていない。
【００７８】
本出願のさまざまな実施形態においては、同期信号ブロックのシーケンス番号における有効ビット部分および最小ビット部分はそれぞれ、同期信号ブロックのシーケンス番号の第１レベルシーケンス番号および第２レベルシーケンス番号でもあり得るということを理解されたい。たとえば、前述の実施形態においては、第１レベルシーケンス番号は、２つのビットであり得、スクランブリングコードを使用することによって示され得、黙示的表示として理解され得る。第２レベルシーケンス番号は、４つのビットであり得、ブロードキャスト信号において搬送されているシーケンス番号表示情報を使用することによって示され得、明示的表示として理解され得る。簡潔にするために、ここでは詳細は記述されていない。
【００７９】
任意選択で、本出願の実施形態においては、シーケンス番号のバイナリービット形式での有効ビット部分は、ブロードキャスト信号のチャネルコーディングの循環シフト情報を使用することによって示され、
シーケンス番号のバイナリービット形式での最小ビット部分は、シーケンス番号表示情報を使用することによって示される。
【００８０】
ブロードキャストチャネルは、ＮＲにおけるポーラーコードを使用することによってコーディングされ得、ポーラーコードを使用することによって実行されたコーディングを通じて１つの循環バッファ（英語の名前は、ｃｉｒｃｌｅ  ｂｕｆｆｅｒであり得るが、それには限定されない）が入手され得る。循環バッファは、複数の異なる循環シフトの組合せを提供し得、それぞれの組合せ（すなわち、循環シフト情報）は、１つのケースを示し得る。
【００８１】
この実施形態においては、同期信号ブロックのシーケンス番号は、ブロードキャスト信号において搬送されているシーケンス番号表示情報の表示と循環シフト情報の表示とを組み合わせる様式で示される。シーケンス番号のバイナリービット形式での最小ビット部分は、ブロードキャスト信号において搬送され、シーケンス番号のバイナリービット形式での有効ビット部分は、さまざまな循環シフト情報によって示される。
【００８２】
図５において示されているように、同期信号ブロックにおけるブロードキャスト信号は、シーケンス番号表示情報を搬送し、シーケンス番号表示情報の情報ビットは、同期信号ブロックのシーケンス番号のバイナリービット形式での最小ビット部分であり得る。加えて、シーケンス番号のバイナリービット形式での有効ビット部分は、さまざまな循環シフト情報を使用することによって黙示的に示される。
【００８３】
たとえば、同期信号ブロックの量が６４であり、同期信号ブロックのシーケンス番号が、６つのビットを使用することによって表され得ると想定される。２つの有効ビットがあり得（または第１レベルシーケンス番号が、２つのビットを有し得）、それらの２つの有効ビットの４つの値がそれぞれ、ブロードキャスト信号のチャネルコーディングの４つの循環シフトを使用することによって表され得る。具体的には、４つの循環シフトが、２つのビットの４つの値の合計に対応している。図５においてｎ１は４である。４つの最小ビットがあり得（または第２レベルシーケンス番号が、４つのビットを有し得）、それらの４つの最小ビット（または第２レベルシーケンス番号）の１６個の値が、ブロードキャスト信号において直接搬送される。図５においてｎ２は１６である。
【００８４】
１つの循環シフトに対応する複数の同期信号ブロックにおけるブロードキャスト信号どうしは、別々のシーケンス番号表示情報を搬送する。したがって、ブロードキャスト信号どうしは、別々のコンテンツを有し、複数の同期信号ブロックがコヒーレントに結合されることは不可能である。別々の循環シフトに対応する同期信号ブロックどうしにおけるブロードキャスト信号どうしは、同じシーケンス番号表示情報を搬送する。したがって、ブロードキャスト信号どうしは、同じコンテンツを有し、同期信号ブロックどうしがコヒーレントに結合されることが可能である。
【００８５】
前述の実施形態における循環シフト情報の表示様式は、別の表示様式へ変更され得るということを理解されたい。あるいは、前述の実施形態における循環シフト情報の黙示的な表示様式は、別の黙示的な表示様式へ変更され得るということが理解され得る。簡潔にするために、ここでは詳細は記述されていない。
【００８６】
任意選択で、本出願の実施形態においては、シーケンス番号のバイナリービット形式での有効ビット部分は、シーケンス番号表示情報を使用することによって示され、
シーケンス番号のバイナリービット形式での最小ビット部分は、全単射変換パラメータを使用することによって示される。
【００８７】
具体的には、この実施形態においては、同期信号ブロックのシーケンス番号は、ブロードキャスト信号において搬送されているシーケンス番号表示情報の表示と全単射変換パラメータの表示とを組み合わせる様式で示される。シーケンス番号のバイナリービット形式での有効ビット部分は、ブロードキャスト信号において搬送され、シーケンス番号のバイナリービット形式での最小ビット部分は、さまざまな全単射変換（ｂｉｊｅｃｔｉｖｅ  ｔｒａｎｓｆｏｒｍａｔｉｏｎ）パラメータを使用することによって示される。
【００８８】
全単射変換パラメータは、ブロードキャスト信号のコーディングのためのシフト様式であり得る。具体的には、別々の全単射変換パラメータは、別々のシフト様式に対応している。
【００８９】
図６において示されているように、同期信号ブロックにおけるブロードキャスト信号は、シーケンス番号表示情報を搬送し、シーケンス番号表示情報の情報ビットは、同期信号ブロックのシーケンス番号のバイナリービット形式での有効ビット部分であり得る。加えて、シーケンス番号のバイナリービット形式での最小ビット部分は、さまざまな全単射変換パラメータを使用することによって黙示的に示される。
【００９０】
たとえば、同期信号ブロックの量が３２であり、同期信号ブロックのシーケンス番号が、５つのビットを使用することによって表され得ると想定される。２つの有効ビットがあり得（または第１レベルシーケンス番号が、２つのビットを有し得）、それらの２つの有効ビット（または第１レベルシーケンス番号）の４つの値は、ブロードキャスト信号によって直接搬送され得る。図６においてｎ１は４である。３つの最小ビットがあり得（または第２レベルシーケンス番号が、３つのビットを有し得）、それらの最小ビット（または第２レベルシーケンス番号）の８個の値が、８個の全単射変換パラメータを使用することによって示される。図６においてｎ２は８である。
【００９１】
この実施形態においては、複数の同期信号ブロックにおけるものであって、かつ同じシーケンス番号表示情報を搬送するブロードキャスト信号どうしは、同じコンテンツを有する。したがって、複数の同期信号ブロックは、コヒーレントに結合されることが可能である。
【００９２】
前述の実施形態における全単射変換パラメータの表示様式は、別の表示様式へ変更され得るということを理解されたい。あるいは、前述の実施形態における全単射変換パラメータの黙示的な表示様式は、別の黙示的な表示様式へ変更され得るということが理解され得る。簡潔にするために、ここでは詳細は記述されていない。
【００９３】
任意選択で、本出願の実施形態においては、シーケンス番号のバイナリービット形式での有効ビット部分は、システムフレーム番号を使用することによって示され、
シーケンス番号のバイナリービット形式での最小ビット部分は、シーケンス番号表示情報を使用することによって示される。
【００９４】
具体的には、１つの同期信号バーストセットが複数のシステムフレームをカバーする場合には、同期信号ブロックのシーケンス番号は、ブロードキャスト信号において搬送されているシーケンス番号表示情報の表示とシステムフレーム番号の表示とを組み合わせる様式で示され得る。シーケンス番号のバイナリービット形式での最小ビット部分は、ブロードキャスト信号において搬送され、シーケンス番号のバイナリービット形式での有効ビット部分は、さまざまなシステムフレーム番号を使用することによって示される。
【００９５】
図７において示されているように、同期信号ブロックにおけるブロードキャスト信号は、シーケンス番号表示情報を搬送し、シーケンス番号表示情報の情報ビットは、同期信号ブロックのシーケンス番号のバイナリービット形式での最小ビット部分であり得る。加えて、シーケンス番号のバイナリービット形式での有効ビット部分は、さまざまなシステムフレーム番号を使用することによって示される。
【００９６】
たとえば、同期信号ブロックの量が６４であり、１つのシステムフレームが１６個の同期信号ブロックを含むと想定される。したがって、１つの同期信号バーストセットが、４つのシステムフレームをカバーする。同期信号ブロックのシーケンス番号は、６つのビットを使用することによって表され得る。２つの有効ビットがあり得（または第１レベルシーケンス番号が、２つのビットを有し得）、それらの２つの有効ビット（または第１レベルシーケンス番号）の４つの値は、ＳＦＮ  ｍｏｄ４を使用することによって表され得、その場合、ＳＦＮはシステムフレーム番号を示す。図７においてｘは４である。４つの最小ビットがあり得（または第２レベルシーケンス番号が、４つのビットを有し得）、それらの４つの最小ビット（または第２レベルシーケンス番号）の１６個の値が、ブロードキャスト信号において直接搬送される。図７においてｎ２は１６である。
【００９７】
１つのシステムフレームにおける複数の同期信号ブロックにおけるブロードキャスト信号どうしは、別々のシーケンス番号表示情報を搬送する。したがって、ブロードキャスト信号どうしは、別々のコンテンツを有し、複数の同期信号ブロックがコヒーレントに結合されることは不可能である。別々のシステムフレームにおける対応する同期信号ブロックどうしにおけるブロードキャスト信号どうしは、同じシーケンス番号表示情報を搬送する。したがって、対応するブロードキャスト信号どうしは、同じコンテンツを有し、同期信号ブロックどうしがコヒーレントに結合されることが可能である。
【００９８】
任意選択で、本出願の別の実施形態においては、シーケンス番号の２つの部分はそれぞれ、スクランブリングコード、ＣＲＣマスク、全単射変換パラメータ、および循環シフト情報のうちの２つを使用することによって示される。
【００９９】
具体的には、本出願のこの実施形態においては、同期信号ブロックのシーケンス番号の両方の部分は、黙示的に示される。この方法においては、ブロードキャスト信号リソースがさらに節約され得る。
【０１００】
加えて、同期信号ブロックのシーケンス番号は、ブロードキャスト信号を使用することによって明示的に示されないので、複数の同期信号ブロックにおけるブロードキャスト信号どうしは、同じコンテンツを有し、複数の同期信号ブロックがコヒーレントに結合されることが可能である。
【０１０１】
任意選択で、本出願の実施形態においては、シーケンス番号のバイナリービット形式での有効ビット部分は、ＣＲＣマスクを使用することによって示され、
シーケンス番号のバイナリービット形式での最小ビット部分は、スクランブリングコードを使用することによって示される。
【０１０２】
具体的には、この実施形態においては、同期信号ブロックのシーケンス番号は、２つの黙示的表示を組み合わせる様式で示される。シーケンス番号のバイナリービット形式での有効ビット部分は、さまざまなＣＲＣマスクを使用することによって示され、シーケンス番号のバイナリービット形式での最小ビット部分は、さまざまなスクランブリングコードを使用することによって示される。
【０１０３】
図８において示されているように、同期信号ブロックにおけるブロードキャスト信号は、シーケンス番号表示情報を搬送し、シーケンス番号表示情報の情報ビットは、同期信号ブロックのシーケンス番号のバイナリービット形式での最小ビット部分であり得る。加えて、シーケンス番号のバイナリービット形式での有効ビット部分は、さまざまなスクランブリングコードを使用することによって示される。
【０１０４】
たとえば、同期信号ブロックの量が６４であり、同期信号ブロックのシーケンス番号が、６つのビットを使用することによって表され得ると想定される。２つの有効ビットがあり得（または第１レベルシーケンス番号が、２つのビットを有し得）、それらの２つの有効ビット（または第１レベルシーケンス番号）の４つの値がそれぞれ、４つのＣＲＣマスクを使用することによって表され得、すなわち、それらの４つのＣＲＣマスクは、２つのビットの４つの値の合計に対応している。図８においてｎ１は４である。４つの最小ビットがあり得（または第２レベルシーケンス番号が、４つのビットを有し得）、それらの４つの最小ビット（または第２レベルシーケンス番号）の１６個の値が、１６個のスクランブリングコードを使用することによって表され得、すなわち、１６個のスクランブリングコード仮説が、４つのビットの１６個の値の合計に対応している。図８においてｎ２は１６である。
【０１０５】
前述の実施形態におけるスクランブリングコードの黙示的な表示様式はまた、別の黙示的な表示様式へ変更され得るということを理解されたい。簡潔にするために、ここでは詳細は記述されていない。
【０１０６】
３２０．  ネットワークデバイスが、同期信号ブロックを送信する。
【０１０７】
前述の同期信号ブロックを生成した後に、ネットワークデバイスは、対応する伝送リソースを使用することによって同期信号ブロックを送信する。それに応じて、端末デバイスは、同期信号ブロックを検知し、同期信号ブロックに基づいて同期化およびアクセスを実行する。
【０１０８】
３３０．  端末デバイスは、ブロードキャスト信号において搬送されているシーケンス番号表示情報、ブロードキャスト信号のスクランブリングコード、ブロードキャスト信号のＣＲＣマスク、ブロードキャスト信号の全単射変換パラメータ、ブロードキャスト信号のチャネルコーディングの循環シフト情報、およびブロードキャスト信号において搬送されているシステムフレーム番号のうちの少なくとも１つに基づいて同期信号ブロックのシーケンス番号を決定する。
【０１０９】
同期信号ブロックを検知した後に、端末デバイスは、同期信号ブロックにおける同期信号に基づいて主要な同期機能を実施し、それに応じて、前述のアイテムのうちの少なくとも１つに基づいて同期信号ブロックのシーケンス番号を決定して、時刻同期を完了して無線フレーム構造を決定する。
【０１１０】
任意選択で、本出願の実施形態においては、端末デバイスは、シーケンス番号表示情報、スクランブリングコード、ＣＲＣマスク、全単射変換パラメータ、循環シフト情報、およびシステムフレーム番号のうちの２つに基づいてシーケンス番号を決定する。
【０１１１】
任意選択で、本出願の実施形態においては、端末デバイスは、シーケンス番号の一方の部分をシーケンス番号表示情報に基づいて決定し、シーケンス番号の他方の部分をスクランブリングコード、ＣＲＣマスク、全単射変換パラメータ、循環シフト情報、およびシステムフレーム番号のうちの１つに基づいて決定する。
【０１１２】
任意選択で、本出願の実施形態においては、端末デバイスは、シーケンス番号のバイナリービット形式での有効ビット部分をスクランブリングコードに基づいて決定し、シーケンス番号のバイナリービット形式での最小ビット部分をシーケンス番号表示情報に基づいて決定する。
【０１１３】
任意選択で、本出願の実施形態においては、端末デバイスは、シーケンス番号のバイナリービット形式での有効ビット部分を循環シフト情報に基づいて決定し、シーケンス番号のバイナリービット形式での最小ビット部分をシーケンス番号表示情報に基づいて決定する。
【０１１４】
任意選択で、本出願の実施形態においては、端末デバイスは、シーケンス番号のバイナリービット形式での有効ビット部分をシーケンス番号表示情報に基づいて決定し、シーケンス番号のバイナリービット形式での最小ビット部分を全単射変換パラメータに基づいて決定する。
【０１１５】
任意選択で、本出願の実施形態においては、端末デバイスは、シーケンス番号のバイナリービット形式での有効ビット部分をシステムフレーム番号に基づいて決定し、シーケンス番号のバイナリービット形式での最小ビット部分をシーケンス番号表示情報に基づいて決定する。
【０１１６】
任意選択で、本出願の実施形態においては、端末デバイスは、シーケンス番号の２つの部分をそれぞれスクランブリングコード、ＣＲＣマスク、全単射変換パラメータ、および循環シフト情報のうちの２つに基づいて決定する。
【０１１７】
任意選択で、本出願の実施形態においては、端末デバイスは、シーケンス番号のバイナリービット形式での有効ビット部分をＣＲＣマスクに基づいて決定し、シーケンス番号のバイナリービット形式での最小ビット部分をスクランブリングコードに基づいて決定する。
【０１１８】
端末デバイスが同期信号ブロックのシーケンス番号を決定する様式は、ネットワークデバイスによって使用される表示様式に対応しているということを理解されたい。具体的には、ネットワークデバイスが同期信号ブロックのシーケンス番号を示す表示様式は、端末デバイスが同期信号ブロックのシーケンス番号を決定する対応する様式である。簡潔にするために、ここでは詳細は記述されていない。
【０１１９】
本出願のこの実施形態における技術的なソリューションにおいては、同期信号ブロックのシーケンス番号は、ブロードキャスト信号において搬送されているシーケンス番号表示情報、ブロードキャスト信号のスクランブリングコード、ブロードキャスト信号のＣＲＣマスク、ブロードキャスト信号の全単射変換パラメータ、ブロードキャスト信号のチャネルコーディングの循環シフト情報、およびブロードキャスト信号において搬送されているシステムフレーム番号のうちの少なくとも１つを使用することによって示され、それによって同期信号ブロックのロケーションが効果的に示されることが可能である。
【０１２０】
本出願の実施形態における具体的な例は、本出願の実施形態を当業者がよりよく理解するのを支援することを意図されているにすぎず、本出願の実施形態の範囲を限定することを意図されているものではないということを理解されたい。
【０１２１】
前述のプロセスのシーケンス番号は、本出願のさまざまな実施形態における実行シーケンスを意味していないということを理解されたい。それらのプロセスの実行シーケンスは、それらのプロセスの機能および内部ロジックに従って決定されるべきであり、本出願の実施形態の実施プロセスに対する何らかの限定として解釈されるべきではない。
【０１２２】
前述の内容は、本出願の実施形態における信号伝送方法について詳細に記述しており、以降では、本出願の実施形態における信号伝送装置について記述する。
【０１２３】
図９は、本出願の実施形態による信号伝送装置９００の概略ブロック図である。装置９００は、ネットワークデバイスであり得る。
【０１２４】
信号伝送装置９００は、方法実施形態におけるネットワークデバイスに対応していることがあり、この方法におけるネットワークデバイスの任意の機能を有し得るということを理解されたい。
【０１２５】
図９において示されているように、信号伝送装置９００は、プロセッサ９１０およびトランシーバ９２０を含む。
【０１２６】
プロセッサ９１０は、同期信号ブロックを生成するように構成されており、同期信号ブロックは、同期信号およびブロードキャスト信号を含み、同期信号ブロックのシーケンス番号は、ブロードキャスト信号において搬送されているシーケンス番号表示情報、ブロードキャスト信号のスクランブリングコード、ブロードキャスト信号の巡回冗長検査ＣＲＣマスク、ブロードキャスト信号の全単射変換パラメータ、ブロードキャスト信号のチャネルコーディングの循環シフト情報、およびブロードキャスト信号において搬送されているシステムフレーム番号のうちの少なくとも１つを使用することによって示され、シーケンス番号は、複数の同期信号ブロックにおけるその同期信号ブロックのロケーションを示す。
【０１２７】
トランシーバ９２０は、同期信号ブロックを送信するように構成されている。
【０１２８】
任意選択で、本出願の実施形態においては、同期信号ブロックのシーケンス番号は、シーケンス番号表示情報、スクランブリングコード、ＣＲＣマスク、全単射変換パラメータ、循環シフト情報、およびシステムフレーム番号のうちの２つを使用することによって共同で示される。
【０１２９】
任意選択で、本出願の実施形態においては、シーケンス番号は、同期信号バーストまたは同期信号バーストセットにおける同期信号ブロックのロケーションを示す。
【０１３０】
任意選択で、本出願の実施形態においては、シーケンス番号は、２つの部分を含み、シーケンス番号の一方の部分は、シーケンス番号表示情報を使用することによって示され、
シーケンス番号の他方の部分は、スクランブリングコード、ＣＲＣマスク、全単射変換パラメータ、循環シフト情報、およびシステムフレーム番号のうちの１つを使用することによって示される。
【０１３１】
任意選択で、本出願の実施形態においては、シーケンス番号のバイナリービット形式での有効ビット部分は、スクランブリングコードを使用することによって示され、
シーケンス番号のバイナリービット形式での最小ビット部分は、シーケンス番号表示情報を使用することによって示される。
【０１３２】
任意選択で、本出願の実施形態においては、シーケンス番号のバイナリービット形式での有効ビット部分は、循環シフト情報を使用することによって示され、
シーケンス番号のバイナリービット形式での最小ビット部分は、シーケンス番号表示情報を使用することによって示される。
【０１３３】
任意選択で、本出願の実施形態においては、シーケンス番号のバイナリービット形式での有効ビット部分は、シーケンス番号表示情報を使用することによって示され、
シーケンス番号のバイナリービット形式での最小ビット部分は、全単射変換パラメータを使用することによって示される。
【０１３４】
任意選択で、本出願の実施形態においては、シーケンス番号のバイナリービット形式での有効ビット部分は、システムフレーム番号を使用することによって示され、
シーケンス番号のバイナリービット形式での最小ビット部分は、シーケンス番号表示情報を使用することによって示される。
【０１３５】
任意選択で、本出願の実施形態においては、シーケンス番号は、２つの部分を含み、シーケンス番号の２つの部分はそれぞれ、スクランブリングコード、ＣＲＣマスク、全単射変換パラメータ、および循環シフト情報のうちの２つを使用することによって示される。
【０１３６】
任意選択で、本出願の実施形態においては、シーケンス番号のバイナリービット形式での有効ビット部分は、ＣＲＣマスクを使用することによって示され、
シーケンス番号のバイナリービット形式での最小ビット部分は、スクランブリングコードを使用することによって示される。
【０１３７】
図１０は、本出願の別の実施形態による信号伝送装置１０００の概略ブロック図である。装置１０００は、端末デバイスであり得る。
【０１３８】
信号伝送装置１０００は、方法実施形態における端末デバイスに対応していることがあり、この方法における端末デバイスの任意の機能を有し得るということを理解されたい。
【０１３９】
図１０において示されているように、信号伝送装置１０００は、プロセッサ１０１０およびトランシーバ１０２０を含む。
【０１４０】
トランシーバ１０２０は、同期信号ブロックを検知するように構成されており、同期信号ブロックは、同期信号およびブロードキャスト信号を含む。
【０１４１】
プロセッサ１０１０は、ブロードキャスト信号において搬送されているシーケンス番号表示情報、ブロードキャスト信号のスクランブリングコード、ブロードキャスト信号の巡回冗長検査ＣＲＣマスク、ブロードキャスト信号の全単射変換パラメータ、ブロードキャスト信号のチャネルコーディングの循環シフト情報、およびブロードキャスト信号において搬送されているシステムフレーム番号のうちの少なくとも１つに基づいて同期信号ブロックのシーケンス番号を決定するように構成されており、シーケンス番号は、複数の同期信号ブロックにおけるその同期信号ブロックのロケーションを示す。
【０１４２】
任意選択で、本出願の実施形態においては、プロセッサ１０１０は、シーケンス番号表示情報、スクランブリングコード、ＣＲＣマスク、全単射変換パラメータ、循環シフト情報、およびシステムフレーム番号のうちの２つに基づいてシーケンス番号を決定するように構成されている。
【０１４３】
任意選択で、本出願の実施形態においては、シーケンス番号は、同期信号バーストまたは同期信号バーストセットにおける同期信号ブロックのロケーションを示す。
【０１４４】
任意選択で、本出願の実施形態においては、シーケンス番号は、２つの部分を含む。プロセッサ１０１０は、シーケンス番号の一方の部分をシーケンス番号表示情報に基づいて決定し、シーケンス番号の他方の部分をスクランブリングコード、ＣＲＣマスク、全単射変換パラメータ、循環シフト情報、およびシステムフレーム番号のうちの１つに基づいて決定するように構成されている。
【０１４５】
任意選択で、本出願の実施形態においては、プロセッサ１０１０は、シーケンス番号のバイナリービット形式での有効ビット部分をスクランブリングコードに基づいて決定し、シーケンス番号のバイナリービット形式での最小ビット部分をシーケンス番号表示情報に基づいて決定するように構成されている。
【０１４６】
任意選択で、本出願の実施形態においては、プロセッサ１０１０は、シーケンス番号のバイナリービット形式での有効ビット部分を循環シフト情報に基づいて決定し、シーケンス番号のバイナリービット形式での最小ビット部分をシーケンス番号表示情報に基づいて決定するように構成されている。
【０１４７】
任意選択で、本出願の実施形態においては、プロセッサ１０１０は、シーケンス番号のバイナリービット形式での有効ビット部分をシーケンス番号表示情報に基づいて決定し、シーケンス番号のバイナリービット形式での最小ビット部分を全単射変換パラメータに基づいて決定するように構成されている。
【０１４８】
任意選択で、本出願の実施形態においては、プロセッサ１０１０は、シーケンス番号のバイナリービット形式での有効ビット部分をシステムフレーム番号に基づいて決定し、シーケンス番号のバイナリービット形式での最小ビット部分をシーケンス番号表示情報に基づいて決定するように構成されている。
【０１４９】
任意選択で、本出願の実施形態においては、シーケンス番号は、２つの部分を含む。プロセッサ１０１０は、シーケンス番号の２つの部分をそれぞれスクランブリングコード、ＣＲＣマスク、全単射変換パラメータ、および循環シフト情報のうちの２つに基づいて決定するように構成されている。
【０１５０】
任意選択で、本出願の実施形態においては、プロセッサ１０１０は、シーケンス番号のバイナリービット形式での有効ビット部分をＣＲＣマスクに基づいて決定し、シーケンス番号のバイナリービット形式での最小ビット部分をスクランブリングコードに基づいて決定するように構成されている。
【０１５１】
本出願のこの実施形態におけるプロセッサ９１０またはプロセッサ１０１０は、処理ユニットまたはチップを使用することによって実装され得るということを理解されたい。任意選択で、処理ユニットは、実施プロセスにおいて複数のユニットを含み得る。
【０１５２】
本出願のこの実施形態におけるトランシーバ９２０またはトランシーバ１０２０は、トランシーバユニットまたはチップを使用することによって実装され得るということを理解されたい。任意選択で、トランシーバ９２０またはトランシーバ１０２０は、送信機もしくは受信機を含み得、または伝送ユニットもしくは受信ユニットを含み得る。
【０１５３】
本出願のこの実施形態におけるプロセッサ９１０およびトランシーバ９２０は、チップを使用することによって実装され得、本出願のこの実施形態におけるプロセッサ１０１０およびトランシーバ１０２０は、チップを使用することによって実装され得るということを理解されたい。
【０１５４】
任意選択で、ネットワークデバイスおよび端末デバイスは、メモリをさらに含み得る。メモリは、プログラムコードを格納し得、プロセッサは、メモリ内に格納されているプログラムコードを呼び出して、ネットワークデバイスまたは端末デバイスの対応する機能を実施する。任意選択で、プロセッサおよびメモリは、チップを使用することによって実装され得る。
【０１５５】
本出願の実装における装置は、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）であり得、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）であり得、システムオンチップ（Ｓｙｓｔｅｍ  ｏｎ  Ｃｈｉｐ、ＳｏＣ）であり得、中央処理装置（Ｃｅｎｔｒａｌ  Ｐｒｏｃｅｓｓｉｎｇ  Ｕｎｉｔ、ＣＰＵ）であり得、ネットワークプロセッサ（Ｎｅｔｗｏｒｋ  Ｐｒｏｃｅｓｓｏｒ、ＮＰ）であり得、デジタルシグナルプロセッサ（デジタルシグナルプロセッサ、ＤＳＰ）であり得、マイクロ制御ユニット（Ｍｉｃｒｏ  Ｃｏｎｔｒｏｌｌｅｒ  Ｕｎｉｔ、ＭＣＵ）であり得、またはプログラマブルコントローラ（Ｐｒｏｇｒａｍｍａｂｌｅ  Ｌｏｇｉｃ  Ｄｅｖｉｃｅ、ＰＬＤ）もしくは別の統合されたチップであり得る。
【０１５６】
本出願の実施形態は、本出願の前述の実施形態における装置または装置内のコンポーネントを実施するように構成されているチップをさらに提供する。
【０１５７】
本出願の実施形態は、前述のネットワークデバイス実施形態におけるネットワークデバイスと、前述の端末デバイス実施形態における端末デバイスとを含む通信システムをさらに提供する。
【０１５８】
前述の実施形態のうちのすべてまたはいくつかは、ソフトウェア、ハードウェア、ファームウェア、またはそれらの任意の組合せを使用することによって実装され得る。実施形態を実装するためにソフトウェアが使用される場合には、実施形態は、完全にまたは部分的にコンピュータプログラム製品の形態で実装され得る。コンピュータプログラム製品は、１つまたは複数のコンピュータ命令を含む。コンピュータプログラム命令がコンピュータ上にロードされて実行されたときに、本出願の実施形態による手順または機能がすべてまたは部分的に生成される。コンピュータは、汎用コンピュータ、専用コンピュータ、コンピュータネットワーク、またはその他のプログラム可能な装置であり得る。コンピュータ命令は、コンピュータ可読ストレージメディア内に格納され得、またはコンピュータ可読ストレージメディアから別のコンピュータ可読ストレージメディアへ伝送され得る。たとえば、コンピュータ命令は、ウェブサイト、コンピュータ、サーバ、またはデータセンターから、別のウェブサイト、コンピュータ、サーバ、またはデータセンターへ、有線（たとえば、同軸ケーブル、光ファイバ、もしくはデジタルサブスクライバーライン（ＤＳＬ））またはワイヤレス（たとえば、赤外線、ラジオ波、マイクロ波など）の様式で伝送され得る。コンピュータ可読ストレージメディアは、１つまたは複数の使用可能メディアを統合している、コンピュータ、またはデータストレージデバイス、たとえば、サーバまたはデータセンターによってアクセス可能な任意の使用可能メディアであり得る。使用可能メディアは、磁気メディア（たとえば、フロッピーディスク、ハードディスク、または磁気テープ）、光メディア（たとえば、ＤＶＤ）、半導体メディア（たとえば、ソリッドステートディスク（Ｓｏｌｉｄ  Ｓｔａｔｅ  Ｄｉｓｋ、ＳＳＤ））などであり得る。
【０１５９】
本出願の実施形態における「および／または」という用語は、関連付けられている各オブジェクトを記述するための関連付け関係のみを記述しており、３つの関係が存在し得るということを表しているということを理解されたい。たとえば、「Ａおよび／またはＢ」は、「Ａのみが存在する」、「ＡおよびＢの両方が存在する」、ならびに「Ｂのみが存在する」という３つのケースを表し得る。加えて、本明細書における「／」という文字は一般に、関連付けられているオブジェクト間における「または」という関係を示している。
【０１６０】
本明細書において開示されている実施形態において記述されている例と組み合わせて、電子ハードウェア、またはコンピュータソフトウェアと電子ハードウェアとの組合せによって、ユニットおよびアルゴリズムステップが実施され得るということを当業者なら認識し得る。機能がハードウェアによって実行されるか、またはソフトウェアによって実行されるかは、技術的なソリューションの個別の用途および設計制約条件に依存する。当業者なら、記述されている機能をそれぞれの個別の用途のために実施する目的でさまざまな方法を使用し得るが、その実施は本出願の範囲を超えるものとみなされるべきではない。
【０１６１】
便利で簡単な説明の目的のために、前述のシステム、装置、およびユニットの詳細な機能プロセスに関しては、前述の方法実施形態における対応するプロセスを参照されたいということが当業者によって明らかに理解され得、詳細がここで再び記述されることはない。
【０１６２】
本出願において提供されているいくつかの実施形態においては、開示されているシステム、装置、および方法がその他の様式で実施され得るということを理解されたい。たとえば、記述されている装置実施形態は、例にすぎない。たとえば、ユニットの区分は、論理的な機能区分にすぎず、実際の実施においてはその他の区分であってもよい。たとえば、複数のユニットもしくはコンポーネントが組み合わされてもしくは統合されて別のシステムになってもよく、またはいくつかの機能が無視されてもよく、もしくは実行されなくてもよい。加えて、表示されているまたは論じられている相互の結合または直接の結合または通信接続は、いくつかのインターフェースを使用することによって実施され得る。装置どうしまたはユニットどうしの間における間接的な結合または通信接続は、電子的な形態、機械的な形態、またはその他の形態で実施され得る。
【０１６３】
別々の部分として記述されているユニットどうしは、物理的に別々であってもよく、または物理的に別々でなくてもよく、ユニットとして表示されている部分は、物理的なユニットであってもよく、または物理的なユニットでなくてもよく、１つの位置に配置されてもよく、または複数のネットワークユニット上に分散されてもよい。ユニットのうちのいくつかまたはすべては、実施形態のソリューションの目的を達成するために実際の必要性に基づいて選択され得る。
【０１６４】
加えて、本出願の実施形態における機能ユニットどうしが統合されて１つの処理ユニットになってもよく、またはそれらのユニットのそれぞれが物理的に単独で存在してもよく、または２つ以上のユニットが統合されて１つのユニットになる。
【０１６５】
機能がソフトウェア機能ユニットの形態で実装されて、独立した製品として販売または使用される場合には、それらの機能は、コンピュータ可読ストレージメディア内に格納され得る。そのような理解に基づいて、本質的に本出願の技術的なソリューション、または従来技術に貢献する部分、またはそれらの技術的なソリューションのいくつかが、ソフトウェア製品の形態で実装され得る。そのコンピュータソフトウェア製品は、ストレージメディア内に格納され、本出願の実施形態において記述されている方法のステップのうちのすべてまたはいくつかを実行するようにコンピュータデバイス（パーソナルコンピュータ、サーバ、もしくはネットワークデバイスであり得る）に指示するためのいくつかの命令を含む。前述のストレージメディアは、ＵＳＢフラッシュドライブ、取り外し可能なハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなど、プログラムコードを格納することが可能である任意のメディアを含む。
【０１６６】
前述の説明は、本出願の特定の実装にすぎず、本出願の保護範囲を限定することを意図されているものではない。本出願において開示されている技術的な範囲内で当業者によって容易に考え出されるいかなる変形形態または代替形態も、本出願の保護範囲内に収まるものとする。したがって、本出願の保護範囲は、特許請求の範囲の保護範囲に従うものとする。
【図１】
2020520595.tif 000003
【図２】
2020520595.tif 000004
【図３】
2020520595.tif 000005
【図４】
2020520595.tif 000006
【図５】
2020520595.tif 000007
【図６】
2020520595.tif 000008
【図７】
2020520595.tif 000009
【図８】
2020520595.tif 000010
【図９】
2020520595.tif 000011
【図１０】
2020520595.tif 000012
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
同期信号ブロックを生成するステップであって、前記同期信号ブロックは、同期信号およびブロードキャスト信号を含み、前記ブロードキャスト信号のスクランブリングコードは、前記同期信号ブロックのシーケンス番号又は前記同期信号ブロックの前記シーケンス番号の一部のビットに対応しており、かつ、前記シーケンス番号は、複数の同期信号ブロックにおける前記同期信号ブロックの位置を示すステップと、
前記同期信号ブロックを送信するステップと、
を含む信号伝送方法。
【請求項２】
前記シーケンス番号のバイナリビット形式は２つの部分を含み、かつ、前記２つの部分の一方は前記スクランブリングコードに対応し、前記２つの部分は、有効ビット部分および最小ビット部分である、請求項１に記載の方法。
【請求項３】
前記２つの部分の他方は、前記ブロードキャスト信号で搬送されるシーケンス番号表示情報によって指示される、請求項２に記載の方法。
【請求項４】
前記有効ビット部分は、シーケンス番号表示情報によって指示され、かつ、前記最小ビット部分は前記スクランブリングコードに対応している請求項２または３に記載の方法。
【請求項５】
前記２つの部分の少なくとも一方が３ビットを有する、請求項２乃至４のいずれか一項に記載の方法。
【請求項６】
前記複数の同期信号ブロックの量が６４である、請求項２乃至５のいずれか一項に記載の方法。
【請求項７】
前記複数の同期信号ブロックの量は４または８であり、前記ブロードキャスト信号の前記スクランブリングコードは、前記同期信号ブロックの前記シーケンス番号に対応している、請求項１に記載の方法。
【請求項８】
同期信号ブロックを検出するステップであって、前記同期信号ブロックは、同期信号とブロードキャスト信号を含むステップと、
前記同期信号ブロックのシーケンス番号を決定するステップであって、前記同期信号ブロックの前記シーケンス番号は前記ブロードキャスト信号のスクランブリングコードに対応しているか、前記同期信号ブロックのシーケンス番号の一部ビットが前記ブロードキャスト信号の前記スクランブリングコードに対応しており、前記シーケンス番号は、複数の同期信号ブロックにおける前記同期信号ブロックの位置を示すステップと、
を含む信号伝送方法。
【請求項９】
前記シーケンス番号のバイナリビット形式は２つの部分を含み、かつ、前記２つの部分の一方は前記スクランブリングコードに対応しており、前記２つの部分は有効ビット部分および最小ビット部分である、請求項８に記載の方法。
【請求項１０】
前記２つの部分の他方は、前記ブロードキャスト信号で搬送されるシーケンス番号表示情報によって指示される、請求項９に記載の方法。
【請求項１１】
前記有効ビット部分は、シーケンス番号表示情報によって指示され、かつ、
前記最小ビット部分はスクランブリングコードに対応している、請求項９または１０に記載の方法。
【請求項１２】
前記２つの部分のうち少なくとも一方が、３ビットを有する、請求項９乃至１１のいずれか一項に記載の方法。
【請求項１３】
前記複数の同期信号ブロックの量が６４である、請求項９乃至１２のいずれか一項に記載の方法。
【請求項１４】
前記複数の同期信号ブロックの量は４または８であり、かつ、前記ブロードキャスト信号の前記スクランブリングコードは、前記同期信号ブロックの前記シーケンス番号に対応している、請求項８に記載の方法。
【請求項１５】
プロセッサおよびトランシーバを含む信号送信装置であって、
前記プロセッサは、同期信号ブロックを生成するように構成され、前記同期信号ブロックは、同期信号およびブロードキャスト信号を含み、前記ブロードキャスト信号のスクランブリングコードは、前記同期信号ブロックのシーケンス番号又は前記同期信号ブロックの前記シーケンス番号の一部のビットに対応しており、かつ、前記シーケンス番号は、複数の同期信号ブロック内の同期信号ブロックの位置を示し、かつ、
前記トランシーバは、前記同期信号ブロックを送信するように構成された信号送信装置。
【請求項１６】
前記シーケンス番号のバイナリビット形式は、２つの部分を含み、かつ、
前記２つの部分のうちの1つは、前記スクランブリングコードに対応しており、２つの部分は有効ビット部分と最小ビット部分である、請求項１５に記載の装置。
【請求項１７】
前記２つの部分の他方は、前記ブロードキャスト信号で搬送されるシーケンス番号表示情報によって指示される、請求項１６に記載の装置。
【請求項１８】
前記有効ビット部分は、シーケンス番号表示情報によって指示され、かつ、前記最小ビット部分はスクランブリングコードに対応している請求項１６または１７に記載の装置。
【請求項１９】
前記２つの部分の少なくとも一方が３ビットを有する、請求項１６乃至１８のいずれか一項に記載の装置。
【請求項２０】
前記複数の同期信号ブロックの量は６４である、請求項１６乃至１９のいずれか一項に記載の装置。
【請求項２１】
前記複数の同期信号ブロックの量は４または８であり、かつ、前記ブロードキャスト信号の前記スクランブリングコードは、前記同期信号ブロックの前記シーケンス番号に対応している、請求項１５に記載の装置。
【請求項２２】
プロセッサおよびトランシーバを備える信号送信装置であって、
前記トランシーバは、同期信号ブロックを検出するように構成され、前記同期信号ブロックは、同期信号とブロードキャスト信号を含み、かつ、
前記プロセッサは、前記同期信号ブロックのシーケンス番号を決定するように構成され、前記同期信号ブロックの前記シーケンス番号は、前記ブロードキャスト信号のスクランブリングコードに対応しているか、又は、前記同期信号ブロックのシーケンス番号の一部のビットは、前記ブロードキャスト信号の前記スクランブリングコードに対応しており、かつ、前記シーケンス番号は、複数の同期信号ブロックにおける前記同期信号ブロックの位置を示すように構成された信号送信装置。
【請求項２３】
前記シーケンス番号の２進ビット形式が２つの部分を含み、かつ、
２つの部分のうちの１つは、前記スクランブリングコードに対応しており、前記２つの部分は有効ビット部分と最小ビット部分である請求項２２に記載の装置。
【請求項２４】
前記２つの部分のうちの他方は、前記ブロードキャスト信号で搬送されるシーケンス番号表示情報によって指示される、請求項２３に記載の装置。
【請求項２５】
前記有効ビット部分は、シーケンス番号表示情報によって指示され、かつ、
前記最小ビット部分は、前記スクランブリングコードに対応している請求項２３または２４に記載の装置。
【請求項２６】
前記２つの部分の少なくとも一方が３ビットを有する、請求項２３乃至２５のいずれか一項に記載の装置。
【請求項２７】
前記複数の同期信号ブロックの量は６４である、請求項２３乃至２６のいずれか一項に記載の装置。
【請求項２８】
前記複数の同期信号ブロックの量は４または８であり、かつ、前記ブロードキャスト信号の前記スクランブリングコードは、前記同期信号ブロックの前記シーケンス番号に対応している、請求項２２に記載の装置。
【請求項２９】
コンピュータ記憶媒体であって、前記コンピュータ記憶媒体はプログラムコードを記憶し、前記プログラムコードは、請求項１乃至１４のいずれか一項に記載の方法の実行を命令するように使用される、コンピュータ記憶媒体。
【請求項３０】
命令を含むコンピュータプログラムであって、前記命令がコンピュータ上で稼働されるとき、前記コンピュータは請求項１乃至１４のいずれか一項に記載の方法を実行することができるようになるコンピュータプログラム。
【請求項３１】
プロセッサと、メモリ、およびトランシーバを備え、前記メモリがプログラムを格納し、前記プログラムが前記プロセッサによって実行されると、請求項１乃至１４のいずれか一項に記載の方法を実行するように構成される信号送信装置。
【手続補正２】
【補正対象書類名】明細書
【補正対象項目名】全文
【補正方法】変更
【補正の内容】
【発明の詳細な説明】
【技術分野】
【０００１】
本出願は、通信分野に関連しており、より具体的には、信号伝送方法および装置に関連している。
【背景技術】
【０００２】
本出願は、２０１７年５月４日に中国国家知識産権局に出願された「ＳＩＧＮＡＬ  ＴＲＡＮＳＭＩＳＳＩＯＮ  ＭＥＴＨＯＤ  ＡＮＤ  ＡＰＰＡＲＡＴＵＳ」と題されている中国特許出願第２０１７１０３０９３２５．１号明細書に対する優先権を主張するものであり、この中国特許出願第２０１７１０３０９３２５．１号明細書は、その全体が参照によって本明細書に組み込まれている。
【０００３】
ロングタームエボリューション（Ｌｏｎｇ  Ｔｅｒｍ  Ｅｖｏｌｕｔｉｏｎ、ＬＴＥ）においては、同期信号（ｓｙｎｃｈｒｏｎｉｚａｔｉｏｎ  ｓｉｇｎａｌ、ＳＳ）の基本的な機能のうちの１つが、無線リソースフレームの開始ロケーションを示すことである。プライマリー同期信号（ｐｒｉｍａｒｙ ｓｙｎｃｈｒｏｎｉｚａｔｉｏｎ  ｓｉｇｎａｌ、ＰＳＳ）が、５ｍｓごとに送信される。セカンダリー同期信号（ｓｅｃｏｎｄａｒｙ  ｓｙｎｃｈｒｏｎｉｚａｔｉｏｎ  ｓｉｇｎａｌ、ＳＳＳ）とプライマリー同期信号との間には、固定された時間差がある。同じ無線フレームにおいては、隣接するセカンダリー同期信号どうしは異なる。したがって、ＰＳＳを検知することによって５ｍｓという時間ウィンドウが入手され、ＳＳＳを検知することによって無線フレームの開始ロケーションが入手される。
【０００４】
５Ｇ（Ｎｅｗ  Ｒａｄｉｏ、ＮＲ）新無線アクセスシステムにおいては、同期信号およびブロードキャスト信号が、共同で同期信号ブロック（ｓｙｎｃｈｒｏｎｉｚａｔｉｏｎ  ｓｉｇｎａｌ  ｂｌｏｃｋ、ＳＳブロック）を形成する。具体的には、ＮＲプライマリー同期信号（ＮＲ−ＰＳＳ）、ＮＲセカンダリー同期信号（ＮＲ−ＳＳＳ）、およびＮＲ物理ブロードキャストチャネル（ＮＲ−ｐｈｙｓｉｃａｌ ｂｒｏａｄｃａｓｔ  ｃｈａｎｎｅｌ、ＮＲ−ＰＢＣＨ）が、１つのＳＳブロックにおいて送信される。１つまたは複数のＳＳブロックが、１つの同期信号バースト（ＳＳバースト）を形成する。１つまたは複数のＳＳバーストが、１つの同期信号バーストセット（ＳＳバーストセット）を形成する。ＳＳバーストセットが、周期的に送信される。
【０００５】
ＮＲ高周波シナリオにおいては、パスロスに対してビームフォーミングが使用され、したがって同期信号およびブロードキャスト信号も、ポーリング様式で複数のビームを使用することによって送信される。端末デバイスがビームを使用することによってアクセスを実行する場合には、その端末デバイスは、少なくとも１つの完全な同期信号および重要なシステム情報を入手することを必要とする。その少なくとも一つの完全な信号は、１つのＳＳブロックに属する。１つのＳＳバーストセット期間においては複数のＳＳブロックがあり得るので、システムは、それらの複数のＳＳブロックにおけるそのＳＳブロックのロケーションを示すことをさらに必要とする。したがって、同期信号ブロックのロケーションをどのようにして効果的に示すかが、ＮＲシステムにおいて解決されるべき緊急の技術的な問題になっている。
【発明の概要】
【０００６】
本出願は、同期信号ブロックのロケーションを効果的に示すための信号伝送方法および装置を提供する。
【０００７】
第１の態様によれば、信号伝送方法が提供される。この方法は、
同期信号ブロックを生成するステップであって、同期信号ブロックは、同期信号およびブロードキャスト信号を含み、同期信号ブロックのシーケンス番号は、ブロードキャスト信号において搬送されているシーケンス番号表示情報、ブロードキャスト信号のスクランブリングコード、ブロードキャスト信号の巡回冗長検査ＣＲＣマスク、ブロードキャスト信号の全単射変換パラメータ、チャネルコーディングが実行されたブロードキャスト信号の循環シフト情報、およびブロードキャスト信号において搬送されているシステムフレーム番号のうちの少なくとも１つを使用することによって示され、シーケンス番号は、複数の同期信号ブロックにおけるその同期信号ブロックのロケーションを示す、ステップと、
同期信号ブロックを送信するステップとを含む。
【０００８】
本出願のこの実施形態における技術的なソリューションにおいては、同期信号ブロックのシーケンス番号は、ブロードキャスト信号において搬送されているシーケンス番号表示情報、ブロードキャスト信号のスクランブリングコード、ブロードキャスト信号のＣＲＣマスク、ブロードキャスト信号の全単射変換パラメータ、チャネルコーディングが実行されたブロードキャスト信号の循環シフト情報、およびブロードキャスト信号において搬送されているシステムフレーム番号のうちの少なくとも１つを使用することによって示され、それによって同期信号ブロックのロケーションが効果的に示されることが可能である。
【０００９】
いくつかの可能な実装においては、同期信号ブロックのシーケンス番号は、シーケンス番号表示情報、スクランブリングコード、ＣＲＣマスク、全単射変換パラメータ、循環シフト情報、およびシステムフレーム番号のうちの２つを使用することによって共同で示される。
【００１０】
いくつかの可能な実装においては、シーケンス番号は、同期信号バーストまたは同期信号バーストセットにおける同期信号ブロックのロケーションを示す。
【００１１】
いくつかの可能な実装においては、シーケンス番号は、１つの期間において送信される複数の同期信号ブロックにおけるその同期信号ブロックのロケーションを示し得る。複数の同期信号ブロックは、１つの同期信号バーストにおける複数の同期信号ブロックであり得、または１つの同期信号バーストセットにおける複数の同期信号ブロックであり得る。
【００１２】
いくつかの可能な実装においては、シーケンス番号は、所定の量のビットを使用することによって表され得る。任意選択で、所定の量は６であり得る。具体的には、シーケンス番号を表すために６つのビットが使用され得る。６つのビットは、最大で６４個の同期信号ブロックを示し得る。任意選択で、複数の同期信号ブロックの量が６４未満である場合には、シーケンス番号のバイナリービット形式での有効ビット部分は使用されなくてよい。たとえば、同期信号ブロックの量が８である場合には、３つの最下位ビットのみが使用される必要がある。
【００１３】
いくつかの可能な実装においては、別々の量の同期信号ブロックを伴う２つのシナリオにおいては、たとえば、高周波シナリオおよび低周波シナリオにおいては、シーケンス番号は、代替として、別々の量のビットを使用することによって表され得る。
【００１４】
いくつかの可能な実装においては、シーケンス番号は、スクランブリングコード、ＣＲＣマスク、全単射変換パラメータ、循環シフト情報、およびシステムフレーム番号のうちの１つを使用することによって黙示的に示され得る。
【００１５】
いくつかの可能な実装においては、シーケンス番号は、２つの部分を含み、シーケンス番号の一方の部分は、シーケンス番号表示情報を使用することによって示され、
シーケンス番号の他方の部分は、スクランブリングコード、ＣＲＣマスク、全単射変換パラメータ、循環シフト情報、およびシステムフレーム番号のうちの１つを使用することによって示される。
【００１６】
同期信号ブロックのシーケンス番号は、組み合わされた明示的かつ黙示的な様式で示される。この方法においては、シーケンス番号表示情報を搬送するために、ブロードキャスト信号におけるさらに少ない情報ビットが使用され得、それによってブロードキャスト信号リソースを節約し、表示効率を改善する。
【００１７】
いくつかの可能な実装においては、シーケンス番号のバイナリービット形式での有効ビット部分は、スクランブリングコードを使用することによって示され、
シーケンス番号のバイナリービット形式での最小ビット部分は、シーケンス番号表示情報を使用することによって示される。
【００１８】
いくつかの可能な実装においては、シーケンス番号のバイナリービット形式での有効ビット部分は、循環シフト情報を使用することによって示され、
シーケンス番号のバイナリービット形式での最小ビット部分は、シーケンス番号表示情報を使用することによって示される。
【００１９】
いくつかの可能な実装においては、シーケンス番号のバイナリービット形式での有効ビット部分は、シーケンス番号表示情報を使用することによって示され、
シーケンス番号のバイナリービット形式での最小ビット部分は、全単射変換パラメータを使用することによって示される。
【００２０】
同じシーケンス番号表示情報を搬送する複数の同期信号ブロックにおけるブロードキャスト信号どうしは、同じコンテンツを有し、したがって複数の同期信号ブロックは、コヒーレントに結合されることが可能である。
【００２１】
いくつかの可能な実装においては、シーケンス番号のバイナリービット形式での有効ビット部分は、システムフレーム番号を使用することによって示され、
シーケンス番号のバイナリービット形式での最小ビット部分は、シーケンス番号表示情報を使用することによって示される。
【００２２】
いくつかの可能な実装においては、シーケンス番号は、２つの部分を含み、シーケンス番号の２つの部分はそれぞれ、スクランブリングコード、ＣＲＣマスク、全単射変換パラメータ、および循環シフト情報のうちの２つを使用することによって示される。
【００２３】
同期信号ブロックのシーケンス番号の両方の部分は、黙示的に示される。この方法においては、ブロードキャスト信号リソースがさらに節約され得る。加えて、同期信号ブロックのシーケンス番号は、ブロードキャスト信号を使用することによって明示的に示されず、複数の同期信号ブロックにおけるブロードキャスト信号どうしは、同じコンテンツを有し、ひいては複数の同期信号ブロックがコヒーレントに結合されることが可能である。
【００２４】
いくつかの可能な実装においては、シーケンス番号のバイナリービット形式での有効ビット部分は、ＣＲＣマスクを使用することによって示され、
シーケンス番号のバイナリービット形式での最小ビット部分は、スクランブリングコードを使用することによって示される。
【００２５】
第２の態様によれば、信号伝送方法が提供される。この方法は、
同期信号ブロックを検知するステップであって、同期信号ブロックは、同期信号およびブロードキャスト信号を含む、ステップと、
ブロードキャスト信号において搬送されているシーケンス番号表示情報、ブロードキャスト信号のスクランブリングコード、ブロードキャスト信号の巡回冗長検査ＣＲＣマスク、ブロードキャスト信号の全単射変換パラメータ、チャネルコーディングが実行されたブロードキャスト信号の循環シフト情報、およびブロードキャスト信号において搬送されているシステムフレーム番号のうちの少なくとも１つに基づいて同期信号ブロックのシーケンス番号を決定するステップであって、シーケンス番号は、複数の同期信号ブロックにおけるその同期信号ブロックのロケーションを示す、ステップとを含む。
【００２６】
本出願のこの実施形態においては、同期信号ブロックのシーケンス番号は、ブロードキャスト信号において搬送されているシーケンス番号表示情報、ブロードキャスト信号のスクランブリングコード、ブロードキャスト信号のＣＲＣマスク、ブロードキャスト信号の全単射変換パラメータ、チャネルコーディングが実行されたブロードキャスト信号の循環シフト情報、およびブロードキャスト信号において搬送されているシステムフレーム番号のうちの少なくとも１つを使用することによって示され、それによって同期信号ブロックのロケーションが効果的に示されることが可能である。
【００２７】
いくつかの可能な実装においては、同期信号ブロックのシーケンス番号を決定するステップは、
シーケンス番号表示情報、スクランブリングコード、ＣＲＣマスク、全単射変換パラメータ、循環シフト情報、およびシステムフレーム番号のうちの２つに基づいてシーケンス番号を決定するステップを含む。
【００２８】
いくつかの可能な実装においては、シーケンス番号は、同期信号バーストまたは同期信号バーストセットにおける同期信号ブロックのロケーションを示す。
【００２９】
いくつかの可能な実装においては、シーケンス番号は、２つの部分を含み、同期信号ブロックのシーケンス番号を決定するステップは、
シーケンス番号の一方の部分をシーケンス番号表示情報に基づいて決定するステップと、
シーケンス番号の他方の部分をスクランブリングコード、ＣＲＣマスク、全単射変換パラメータ、循環シフト情報、およびシステムフレーム番号のうちの１つに基づいて決定するステップとを含む。
【００３０】
いくつかの可能な実装においては、同期信号ブロックのシーケンス番号を決定するステップは、
シーケンス番号のバイナリービット形式での有効ビット部分をスクランブリングコードに基づいて決定するステップと、
シーケンス番号のバイナリービット形式での最小ビット部分をシーケンス番号表示情報に基づいて決定するステップとを含む。
【００３１】
いくつかの可能な実装においては、同期信号ブロックのシーケンス番号を決定するステップは、
シーケンス番号のバイナリービット形式での有効ビット部分を循環シフト情報に基づいて決定するステップと、
シーケンス番号のバイナリービット形式での最小ビット部分をシーケンス番号表示情報に基づいて決定するステップとを含む。
【００３２】
いくつかの可能な実装においては、同期信号ブロックのシーケンス番号を決定するステップは、
シーケンス番号のバイナリービット形式での有効ビット部分をシーケンス番号表示情報に基づいて決定するステップと、
シーケンス番号のバイナリービット形式での最小ビット部分を全単射変換パラメータに基づいて決定するステップとを含む。
【００３３】
いくつかの可能な実装においては、同期信号ブロックのシーケンス番号を決定するステップは、
シーケンス番号のバイナリービット形式での有効ビット部分をシステムフレーム番号に基づいて決定するステップと、
シーケンス番号のバイナリービット形式での最小ビット部分をシーケンス番号表示情報に基づいて決定するステップとを含む。
【００３４】
いくつかの可能な実装においては、シーケンス番号は、２つの部分を含み、同期信号ブロックのシーケンス番号を決定するステップは、
シーケンス番号の２つの部分をそれぞれスクランブリングコード、ＣＲＣマスク、全単射変換パラメータ、および循環シフト情報のうちの２つに基づいて決定するステップを含む。
【００３５】
いくつかの可能な実装においては、同期信号ブロックのシーケンス番号を決定するステップは、
シーケンス番号のバイナリービット形式での有効ビット部分をＣＲＣマスクに基づいて決定するステップと、
シーケンス番号のバイナリービット形式での最小ビット部分をスクランブリングコードに基づいて決定するステップとを含む。
【００３６】
第３の態様によれば、信号伝送装置が提供される。この装置は、プロセッサおよびトランシーバを含み、第１の態様または第１の態様の可能な実装のうちのいずれか１つによる方法を実行することが可能である。
【００３７】
第４の態様によれば、信号伝送装置が提供される。この装置は、プロセッサおよびトランシーバを含み、第２の態様または第２の態様の可能な実装のうちのいずれか１つによる方法を実行することが可能である。
【００３８】
第５の態様によれば、コンピュータストレージメディアが提供される。このコンピュータストレージメディアは、プログラムコードを格納しており、そのプログラムコードは、第１の態様もしくは第１の態様の可能な実装のうちのいずれか１つによる方法、または第２の態様もしくは第２の態様の可能な実装のうちのいずれか１つによる方法を実行するように指示するために使用されることが可能である。
【００３９】
第６の態様によれば、命令を含むコンピュータプログラム製品が提供される。このコンピュータプログラム製品がコンピュータ上で稼働されたときに、そのコンピュータは、第１の態様もしくは第１の態様の可能な実装のうちのいずれか１つによる方法、または第２の態様もしくは第２の態様の可能な実装のうちのいずれか１つによる方法を実行することを可能にされる。
【図面の簡単な説明】
【００４０】
【図１】本出願の実施形態に適用されるシステムの概略図である。
【図２】ＮＲシステムにおける同期およびブロードキャストチャネルのリソース構造の概略図である。
【図３】本出願の実施形態による信号伝送方法の概略フローチャートである。
【図４】本出願の実施形態による同期信号ブロックのシーケンス番号を示す様式の概略図である。
【図５】本出願の別の実施形態による同期信号ブロックのシーケンス番号を示す様式の概略図である。
【図６】本出願のさらに別の実施形態による同期信号ブロックのシーケンス番号を示す様式の概略図である。
【図７】本出願のさらに別の実施形態による同期信号ブロックのシーケンス番号を示す様式の概略図である。
【図８】本出願のさらに別の実施形態による同期信号ブロックのシーケンス番号を示す様式の概略図である。
【図９】本出願の実施形態による信号伝送装置の概略ブロック図である。
【図１０】本出願の別の実施形態による信号伝送装置の概略ブロック図である。
【発明を実施するための形態】
【００４１】
以降では、添付の図面を参照しながら本出願の技術的なソリューションについて記述している。
【００４２】
図１は、本出願の実施形態に適用されるシステムの概略図である。図１において示されているように、システム１００は、ネットワークデバイス１０２、ならびに端末デバイス１０４、１０６、１０８、１１０、１１２、および１１４を含み得る。ネットワークデバイスおよび端末デバイスは、ワイヤレスに接続される。図１は、システムが１つだけのネットワークデバイスを含む例を使用することによって記述されているということを理解されたい。しかしながら、本出願のこの実施形態は、それには限定されない。たとえば、システムは、代替として、より多くのネットワークデバイスを含み得る。同様に、システムは、代替として、より多くの端末デバイスを含み得る。システムはネットワークとも呼ばれ得るということをさらに理解されたい。これは、本出願のこの実施形態においては限定されない。
【００４３】
本明細書は、端末デバイスに関連した実施形態について記述している。端末デバイスは、ユーザ機器（Ｕｓｅｒ  Ｅｑｕｉｐｍｅｎｔ、ＵＥ）、アクセス端末、サブスクライバーユニット、サブスクライバーステーション、移動局、モバイルコンソール、リモートステーション、リモート端末、モバイルデバイス、ユーザ端末、端末、ワイヤレス通信デバイス、ユーザエージェント、またはユーザ装置と呼ばれ得る。アクセス端末は、セルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、携帯情報端末（Ｐｅｒｓｏｎａｌ  Ｄｉｇｉｔａｌ  Ａｓｓｉｓｔａｎｔ、ＰＤＡ）、ワイヤレス通信機能を有するハンドヘルドデバイス、コンピューティングデバイス、ワイヤレスモデムに接続されている別の処理デバイス、車載デバイス、ウェアラブルデバイス、将来の５Ｇネットワークにおける端末デバイス、または将来の進化したパブリックランドモバイルネットワーク（Ｐｕｂｌｉｃ  Ｌａｎｄ  Ｍｏｂｉｌｅ  Ｎｅｔｗｏｒｋ、ＰＬＭＮ）における端末デバイスなどであり得る。
【００４４】
限定ではなく、例として、本出願の実施形態においては、端末デバイスはまた、ウェアラブルデバイスであり得る。ウェアラブルデバイスは、ウェアラブルスマートデバイスと呼ばれることもあり、着用されることが可能であって、かつウェアラブルテクノロジーを適用することによって日常の着用をインテリジェントに設計することによって開発されるメガネ、手袋、腕時計、衣服、または靴などのデバイスを表す一般的な用語である。ウェアラブルデバイスは、身体上に直接着用される、またはユーザの衣服もしくはアクセサリーへと統合されるポータブルデバイスである。ウェアラブルデバイスは、ハードウェアデバイスを超えるものであり、ソフトウェアサポート、データのやり取り、およびクラウド対話を通じて強力な機能を実施する。一般的なウェアラブルスマートデバイスは、スマートウォッチまたはスマートメガネなど、スマートフォンを伴わずにすべてのまたはいくつかの機能を実施することが可能であるフル機能を備えた大きなサイズのデバイス、およびバイタルサインモニタリング用のさまざまなスマートバンドまたはスマートジュエリーなど、１つの特定のタイプのアプリケーション機能のみに特化していて、かつスマートフォンなどの別のデバイスとともに使用されることを必要とするデバイスを含む。
【００４５】
本明細書は、ネットワークデバイスに関連した実施形態について記述している。ネットワークデバイスは、端末デバイスと通信するためのデバイスであり得る。ネットワークデバイスは、グローバルシステムフォーモバイルコミュニケーションズ（Ｇｌｏｂａｌ  Ｓｙｓｔｅｍ  ｆｏｒ  Ｍｏｂｉｌｅ  ｃｏｍｍｕｎｉｃａｔｉｏｎｓ、ＧＳＭ）もしくは符号分割多元接続（Ｃｏｄｅ  Ｄｉｖｉｓｉｏｎ  Ｍｕｌｔｉｐｌｅ  Ａｃｃｅｓｓ、ＣＤＭＡ）システムにおけるベーストランシーバステーション（Ｂａｓｅ  Ｔｒａｎｓｃｅｉｖｅｒ  Ｓｔａｔｉｏｎ、ＢＴＳ）であり得、もしくはワイドバンド符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システムにおけるＮｏｄｅＢ（ＮｏｄｅＢ、ＮＢ）であり得、もしくはロングタームエボリューション（Ｌｏｎｇ  Ｔｅｒｍ  Ｅｖｏｌｕｔｉｏｎ、ＬＴＥ）システムにおけるエボルブドＮｏｄｅＢ（Ｅｖｏｌｖｅｄ Ｅｖｏｌｕｔｉｏｎａｌ  ＮｏｄｅＢ、ｅＮＢもしくはｅＮｏｄｅＢ）であり得、もしくはクラウド無線アクセスネットワーク（Ｃｌｏｕｄ  Ｒａｄｉｏ  Ａｃｃｅｓｓ  Ｎｅｔｗｏｒｋ、ＣＲＡＮ）シナリオにおける無線コントローラであり得、またはネットワークデバイスは、中継局、アクセスポイント、車載デバイス、ウェアラブルデバイス、将来５Ｇネットワークにおけるネットワークデバイス、将来の進化したＰＬＭＮネットワークにおけるネットワークデバイスなどであり得る。
【００４６】
加えて、本出願の実施形態においては、ネットワークデバイスは、セルのためのサービスを提供する。端末デバイスは、セルにおいて使用されている伝送リソース（たとえば、周波数ドメインリソースまたはスペクトルリソース）を使用することによってネットワークデバイスと通信する。セルは、ネットワークデバイス（たとえば、基地局）に対応するセルであり得る。セルは、マクロ基地局、またはスモールセル（ｓｍａｌｌ  ｃｅｌｌ）に対応する基地局に属し得る。本明細書におけるスモールセルは、メトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）などを含み得る。スモールセルは、小さなカバレッジおよび低い伝送電力などの特徴を有し、高速データ伝送サービスを提供することに適用可能である。加えて、セルは、ハイパーセル（ｈｙｐｅｒ  ｃｅｌｌ）であり得る。
【００４７】
ハイパーセルネットワークアーキテクチャーにおいては、ネットワークデバイスは、１つの集中ユニット（Ｃｅｎｔｒａｌｉｚｅｄ  Ｕｎｉｔ、ＣＵ）および複数の伝送受信ポイント（Ｔｒａｎｓｍｉｓｓｉｏｎ  Ｒｅｃｅｐｔｉｏｎ  Ｐｏｉｎｔ、ＴＲＰ）／分散ユニット（Ｄｉｓｔｒｉｂｕｔｅｄ  Ｕｎｉｔ、ＤＵ）へと分けられ得る。言い換えれば、ネットワークデバイスの帯域幅ベースユニット（Ｂａｎｄｗｉｄｔｈ  Ｂａｓｅｄ  Ｕｎｉｔ、ＢＢＵ）が、ＤＵ機能エンティティーおよびＣＵ機能エンティティーとして再構築される。集中ユニットおよびＴＲＰ／ＤＵの形態および量は、本出願の実施形態上の限定を構成しないということに留意されたい。
【００４８】
ＣＵは、無線上位レイヤプロトコルスタック機能、たとえば、無線リソース制御（Ｒａｄｉｏ  Ｒｅｓｏｕｒｃｅ  Ｃｏｎｔｒｏｌ、ＲＲＣ）レイヤおよびパケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）レイヤを処理し、アクセスネットワークにおけるいくつかのコアネットワーク機能をサポートすることさえ可能である。いくつかのコアネットワーク機能をサポートするアクセスネットワークは、エッジコンピューティングネットワークと呼ばれている。アクセスネットワークは、ビデオ、オンラインショッピング、および仮想／拡張現実などの台頭しているサービスに関する将来の通信ネットワーク上でのさらに高いネットワーク待ち時間要件を満たすことが可能である。
【００４９】
ＤＵは、主として、物理レイヤ機能と、より高いリアルタイム要件を伴うレイヤ２機能とを処理する。無線リモートユニット（Ｒａｄｉｏ  Ｒｅｍｏｔｅ  Ｕｎｉｔ、ＲＲＵ）およびＤＵの伝送リソースを考慮して、ＤＵのいくつかの物理レイヤ機能は、ＲＲＵ上に展開され得る。ＲＲＵの小型化に伴って、より根本的に、ＤＵはＲＲＵと結合され得る。
【００５０】
ＣＵがともにアレンジされることが可能である。ＤＵのレイアウトは、実際のネットワーク環境に依存する。高いトラフィック密度、小さなサイト間距離、および限られた装備の部屋のリソースを伴うエリア、たとえば、コアアーバンエリア、大学、および大規模なパフォーマンス会場においては、ＤＵはまた、集中様式でアレンジされ得る。しかしながら、低いトラフィック密度および大きなサイト間距離を伴うエリア、たとえば、郊外および山間エリアにおいては、ＤＵは、分散様式でアレンジされ得る。
【００５１】
図２は、ＮＲシステムにおける同期およびブロードキャストチャネルのリソース構造の例の概略図である。図２において示されているように、ＮＲシステムにおいては、同期信号およびブロードキャスト信号が、共同で１つのＳＳブロックを形成し、１つまたは複数のＳＳブロックが、１つのＳＳバーストを形成し、１つまたは複数のＳＳバーストが、１つのＳＳバーストセットを形成する。ＳＳバーストセット期間など、１つの伝送期間において複数のＳＳブロックがあり得る。端末デバイスは、同期信号を検知することのみによって、複数のＳＳブロックにおける検知されたＳＳブロックのロケーションを決定することは不可能である。具体的には、端末デバイスは、検知されたＳＳブロックの時間インデックス（Ｔｉｍｅ−ｉｎｄｅｘ）を決定することが不可能である（時間インデックスは、説明を容易にするために、同期信号ブロックのシーケンス番号と呼ばれ得る）。その結果として、時刻同期が実施されることが不可能であり、無線フレーム構造が決定されることが不可能である。
【００５２】
本出願の実施形態は、同期信号ブロックのロケーションを効果的に示すために、ＮＲに適している信号伝送ソリューションを提供する。以降では、本出願の実施形態における技術的なソリューションについて詳細に記述する。
【００５３】
図３は、本出願の実施形態による信号伝送方法の概略フローチャートである。図３におけるネットワークデバイスは、図１におけるネットワークデバイス１０２であり得る。端末デバイスは、図１における端末デバイス１０４、１０６、１０８、１１０、１１２、および１１４のうちの端末デバイスであり得る。もちろん、実際のシステムにおいては、ネットワークデバイスおよび端末デバイスの量は、この実施形態または別の実施形態における例に限定されなくてよい。詳細が以降で再び記述されることはない。
【００５４】
３１０．  ネットワークデバイスは、同期信号ブロックを生成し、同期信号ブロックは、同期信号およびブロードキャスト信号を含み得、同期信号ブロックのシーケンス番号は、ブロードキャスト信号において搬送されているシーケンス番号表示情報、ブロードキャスト信号のスクランブリングコード、ブロードキャスト信号の巡回冗長検査ＣＲＣマスク、ブロードキャスト信号の全単射変換パラメータ、チャネルコーディングが実行されたブロードキャスト信号の循環シフト情報、およびブロードキャスト信号において搬送されているシステムフレーム番号のうちの少なくとも１つを使用することによって示され、同期信号ブロックのシーケンス番号は、複数の同期信号ブロックにおけるその同期信号ブロックのロケーションを示す。
【００５５】
本出願のこの実施形態においては、同期信号ブロック内に含まれる同期信号は、プライマリー同期信号（説明を容易にするために、ＮＲ−ＰＳＳまたは略してＰＳＳ）およびセカンダリー同期信号（説明を容易にするために、ＮＲ−ＳＳＳまたは略してＳＳＳ）を含み得、同期信号は、主要な同期機能を実施するために使用され得る。加えて、本出願のこの実施形態の例は、同期信号ブロックのシーケンス番号を示す様式を提供する。具体的には、同期信号ブロックのシーケンス番号は、同期信号ブロック内に含まれているブロードキャスト信号において搬送されているシーケンス番号表示情報、ブロードキャスト信号のスクランブリングコード、ブロードキャスト信号の巡回冗長検査（Ｃｙｃｌｉｃ  Ｒｅｄｕｎｄａｎｃｙ  Ｃｈｅｃｋ、ＣＲＣ）マスク、ブロードキャスト信号の全単射変換パラメータ、チャネルコーディングが実行されたブロードキャスト信号の循環シフト情報、およびブロードキャスト信号において搬送されているシステムフレーム番号のうちの少なくとも１つを使用することによって示される。
【００５６】
本出願のこの実施形態においては、同期信号ブロックのシーケンス番号は、複数の同期信号ブロックにおけるその同期信号ブロックのロケーションを示し、シーケンス番号は、時間インデックスとも呼ばれ得る。
【００５７】
任意選択で、本出願の実施形態においては、同期信号ブロックのシーケンス番号は、同期信号バーストまたは同期信号バーストセットにおける同期信号ブロックのロケーションを示し得る。
【００５８】
具体的には、同期信号ブロックのシーケンス番号は、１つの期間において送信される複数の同期信号ブロックにおけるその同期信号ブロックのロケーションを示し得る。複数の同期信号ブロックは、１つの同期信号バーストにおける複数の同期信号ブロックであり得、または１つの同期信号バーストセットにおける複数の同期信号ブロックであり得る。
【００５９】
任意選択で、複数の同期信号ブロックの量は、ビームフォーミングのために使用されるビームの量に関連し得る。具体的には、比較的大量のビームがある場合には、比較的大量の複数の同期信号ブロックがある。比較的少量のビームがある場合には、比較的少量の複数の同期信号ブロックがある。例においては、高周波シナリオに関しては、複数の同期信号ブロックの量は６４であり得る。低周波シナリオに関しては、複数の同期信号ブロックの量は８または４であり得る。しかしながら、これは、本出願のこの実施形態においては限定されない。
【００６０】
任意選択で、シーケンス番号は、所定の量のビットを使用することによって表され得る。別々の量の同期信号ブロックを伴う２つのシナリオにおいては、たとえば、高周波シナリオおよび低周波シナリオにおいては、シーケンス番号は、同じ量のビットを使用することによって表され得る。ビットの所定の量は、本出願のこの実施形態においては限定されない。例においては、ビットの所定の量は６であり得る。具体的には、シーケンス番号を表すために６つのビットが使用され得る。６つのビットは、最大で６４個の同期信号ブロックを示し得る。任意選択で、複数の同期信号ブロックの量が６４未満である場合には、シーケンス番号のバイナリービット形式での有効ビット部分は使用されなくてよい。たとえば、低周波シナリオにおいて、同期信号ブロックの量が８である場合には、３つの最下位ビットのみが使用される必要がある。
【００６１】
別々の量の同期信号ブロックを伴う２つのシナリオにおいては、たとえば、高周波シナリオおよび低周波シナリオにおいては、シーケンス番号は、代替として、別々の量のビットを使用することによって表され得るということを理解されたい。これは、本出願のこの実施形態においては限定されない。
【００６２】
本出願のこの実施形態においては、同期信号ブロックのシーケンス番号は、ブロードキャスト信号において搬送されているシーケンス番号表示情報、ブロードキャスト信号のスクランブリングコード、ブロードキャスト信号のＣＲＣマスク、ブロードキャスト信号の全単射変換パラメータ、チャネルコーディングが実行されたブロードキャスト信号の循環シフト情報、およびブロードキャスト信号において搬送されているシステムフレーム番号のうちの少なくとも１つを使用することによって示される。ブロードキャスト信号がシーケンス番号表示情報を搬送する様式は、明示的な表示様式であり得、別の表示様式は、黙示的な表示様式であり得る。
【００６３】
同期信号ブロックにおけるブロードキャスト信号は、主要なシステム情報、たとえば、マスター情報ブロック（Ｍａｓｔｅｒ  Ｉｎｆｏｒｍａｔｉｏｎ  Ｂｌｏｃｋ、ＭＩＢ）を搬送し得る。本出願のこの実施形態においては、ブロードキャスト信号は、シーケンス番号表示情報を搬送するために使用され得、シーケンス番号表示情報は、同期信号ブロックのシーケンス番号を示すために使用され、シーケンス番号表示情報は、同期信号ブロックのシーケンス番号を明示的に示すために特に使用され得る。
【００６４】
ブロードキャスト信号は、さまざまな同期信号ブロックのシーケンス番号を示すためにさまざまなスクランブリングコードを使用し得る。たとえば、４つのシーケンス番号をそれぞれ示すために、４つのスクランブリングコードが使用され得る。同様に、さまざまな同期信号ブロックのシーケンス番号を示すために、さまざまなＣＲＣマスク、さまざまな全単射変換パラメータ、さまざまな循環シフト情報、またはさまざまなシステムフレーム番号が使用され得る。具体的には、黙示的表示が使用され得、さまざまなスクランブリングコード、さまざまなＣＲＣマスク、さまざまな全単射変換パラメータ、さまざまな循環シフト情報、またはさまざまなシステムフレーム番号の知得は、同期信号ブロックのシーケンス番号の知得を意味する。具体的な実施は、同期信号ブロックのシーケンス番号が、さまざまな同期信号ブロックのシーケンス番号と、さまざまなスクランブリングコード、さまざまなＣＲＣマスク、さまざまな全単射変換パラメータ、さまざまな循環シフト情報、またはさまざまなシステムフレーム番号との間における対応に基づいて示され得るということであり得る。その対応は、式、表などの形態で表され得る。
【００６５】
任意選択で、本出願の実施形態においては、同期信号ブロックのシーケンス番号は、シーケンス番号表示情報、スクランブリングコード、ＣＲＣマスク、全単射変換パラメータ、循環シフト情報、およびシステムフレーム番号のうちの１つを使用することによって示され得る。たとえば、同期信号ブロックの量が比較的少ない場合には、前述の表示のうちの１つのみが使用され得る。本出願の実施形態においては、シーケンス番号は、スクランブリングコード、ＣＲＣマスク、全単射変換パラメータ、循環シフト情報、およびシステムフレーム番号のうちの１つを使用することによって黙示的に示され得る。たとえば、同期信号ブロックの量が４である場合には、４つの同期信号ブロックのシーケンス番号をそれぞれ示すために、４つのスクランブリングコードが使用され得る。
【００６６】
任意選択で、本出願の実施形態においては、シーケンス番号は、シーケンス番号表示情報、スクランブリングコード、ＣＲＣマスク、全単射変換パラメータ、循環シフト情報、およびシステムフレーム番号のうちの２つを使用することによって共同で示され得る。具体的には、シーケンス番号は、２つの部分へと分けられ得、一方の部分は、前述のアイテムのうちの１つを使用することによって示され、他方の部分は、前述のアイテムのうちの別のものを使用することによって示される。
【００６７】
任意選択で、本出願の実施形態においては、シーケンス番号の一方の部分は、シーケンス番号表示情報を使用することによって示され、シーケンス番号の他方の部分は、スクランブリングコード、ＣＲＣマスク、全単射変換パラメータ、循環シフト情報、およびシステムフレーム番号のうちの１つを使用することによって示される。
【００６８】
本出願のこの実施形態においては、同期信号ブロックのシーケンス番号は、組み合わされた明示的かつ黙示的な様式で示されるということが理解され得る。この方法においては、シーケンス番号表示情報を搬送するために、ブロードキャスト信号におけるさらに少ない情報ビットが使用され得、それによってブロードキャスト信号リソースを節約し、表示効率を改善する。
【００６９】
任意選択で、本出願の実施形態においては、シーケンス番号のバイナリービット形式での有効ビット部分は、スクランブリングコードを使用することによって示される。もちろん、本出願の実施形態における有効ビット部分および最小ビット部分は、本出願の実施形態の範囲内に収まる別の形式、たとえば、８進法形式、１０進法形式、または１６進法形式でもあり得る。本出願のこの実施形態は、例としてバイナリービット形式を使用することによって記述されているが、バイナリービット形式には限定されない。
【００７０】
シーケンス番号のバイナリービット形式での最小ビット部分は、シーケンス番号表示情報を使用することによって示される。
【００７１】
具体的には、この実施形態においては、同期信号ブロックのシーケンス番号は、ブロードキャスト信号表示とスクランブリングコード表示とを組み合わせる様式で示される。シーケンス番号のバイナリービット形式での最小ビット部分は、ブロードキャスト信号において搬送され、シーケンス番号のバイナリービット形式での有効ビット部分は、さまざまなスクランブリングコードを使用することによって示される。
【００７２】
図４において示されているように、同期信号ブロックにおけるブロードキャスト信号は、シーケンス番号表示情報を搬送し、シーケンス番号表示情報の情報ビットは、同期信号ブロックのシーケンス番号のバイナリービット形式での最小ビット部分であり得る。加えて、シーケンス番号のバイナリービット形式での有効ビット部分は、さまざまなスクランブリングコードを使用することによって示される。
【００７３】
たとえば、同期信号ブロックの量が６４であり、同期信号ブロックのシーケンス番号が、６つのビットを使用することによって表され得ると想定される。２つの有効ビット（ｓｉｇｎｉｆｉｃａｎｔ  ｂｉｔ）があり得、それらの有効ビットの４つの値が、４つのスクランブリングコードを使用することによって表され得る。具体的には、４つのスクランブリングコード仮説（ｈｙｐｏｔｈｅｓｉｓ）が、２つのビットの４つの値の合計に対応している。図４におけるｎ１は４である。４つの最小ビット（ｌｅａｓｔ  ｂｉｔ）があり得、それらの最小ビットの１６個の値が、ブロードキャスト信号において直接搬送される。図４においてｎ２は１６である。
【００７４】
本出願のさまざまな実施形態においては、同期信号ブロックのシーケンス番号によって示される２つの部分におけるビットの量は入れ替えられ得、たとえば、４つのビットが有効ビットとして使用され、２つのビットが最小ビットとして使用されるということを理解されたい。この入れ替えも、本出願の実施形態として使用されるべきである。詳細が以降で再び記述されることはない。
【００７５】
それに応じて、同期信号ブロックを検知する場合に、端末デバイスは、ブロードキャスト信号のスクランブリングコードの４つの仮説を使用することによってブラインド検知を実行する。検知が成功した後に、対応する仮説に対応するシーケンス番号の有効ビットの値が決定されることが可能である。次いで、ブロードキャスト信号において搬送されているシーケンス番号表示情報を使用することによってシーケンス番号の最小ビットの値が決定されて、検知された同期信号ブロックのシーケンス番号を決定する。
【００７６】
１つの仮説における複数の同期信号ブロックにおけるブロードキャスト信号どうしは、別々のシーケンス番号表示情報を搬送する。したがって、ブロードキャスト信号どうしは、別々のコンテンツを有し、複数の同期信号ブロックがコヒーレントに結合されることは不可能である。別々の仮説のもとでの対応する同期信号ブロックどうしにおけるブロードキャスト信号どうしは、同じシーケンス番号表示情報を搬送する。したがって、対応するブロードキャスト信号どうしは、同じコンテンツを有し、同期信号ブロックどうしがコヒーレントに結合されることが可能である。
【００７７】
前述の実施形態におけるスクランブリングコードの表示様式は、別の表示様式、たとえば、ＣＲＣマスクの表示様式、全単射変換パラメータの表示様式、循環シフト情報の表示様式、またはシステムフレーム番号の表示様式へ変更され得るということを理解されたい。あるいは、前述の実施形態におけるスクランブリングのコード黙示的な表示様式は、別の黙示的な表示様式へ変更され得るということが理解され得る。簡潔にするために、ここでは詳細は記述されていない。
【００７８】
本出願のさまざまな実施形態においては、同期信号ブロックのシーケンス番号における有効ビット部分および最小ビット部分はそれぞれ、同期信号ブロックのシーケンス番号の第１レベルシーケンス番号および第２レベルシーケンス番号でもあり得るということを理解されたい。たとえば、前述の実施形態においては、第１レベルシーケンス番号は、２つのビットであり得、スクランブリングコードを使用することによって示され得、黙示的表示として理解され得る。第２レベルシーケンス番号は、４つのビットであり得、ブロードキャスト信号において搬送されているシーケンス番号表示情報を使用することによって示され得、明示的表示として理解され得る。簡潔にするために、ここでは詳細は記述されていない。
【００７９】
任意選択で、本出願の実施形態においては、シーケンス番号のバイナリービット形式での有効ビット部分は、チャネルコーディングが実行されたブロードキャスト信号の循環シフト情報を使用することによって示され、
シーケンス番号のバイナリービット形式での最小ビット部分は、シーケンス番号表示情報を使用することによって示される。
【００８０】
ブロードキャストチャネルは、ＮＲにおけるポーラーコードを使用することによってコーディングされ得、ポーラーコードを使用することによって実行されたコーディングを通じて１つの循環バッファ（英語の名前は、ｃｉｒｃｌｅ  ｂｕｆｆｅｒであり得るが、それには限定されない）が入手され得る。循環バッファは、複数の異なる循環シフトの組合せを提供し得、それぞれの組合せ（すなわち、循環シフト情報）は、１つのケースを示し得る。
【００８１】
この実施形態においては、同期信号ブロックのシーケンス番号は、ブロードキャスト信号において搬送されているシーケンス番号表示情報の表示と循環シフト情報の表示とを組み合わせる様式で示される。シーケンス番号のバイナリービット形式での最小ビット部分は、ブロードキャスト信号において搬送され、シーケンス番号のバイナリービット形式での有効ビット部分は、さまざまな循環シフト情報によって示される。
【００８２】
図５において示されているように、同期信号ブロックにおけるブロードキャスト信号は、シーケンス番号表示情報を搬送し、シーケンス番号表示情報の情報ビットは、同期信号ブロックのシーケンス番号のバイナリービット形式での最小ビット部分であり得る。加えて、シーケンス番号のバイナリービット形式での有効ビット部分は、さまざまな循環シフト情報を使用することによって黙示的に示される。
【００８３】
たとえば、同期信号ブロックの量が６４であり、同期信号ブロックのシーケンス番号が、６つのビットを使用することによって表され得ると想定される。２つの有効ビットがあり得（または第１レベルシーケンス番号が、２つのビットを有し得）、それらの２つの有効ビットの４つの値がそれぞれ、チャネルコーディングが実行されたブロードキャスト信号の４つの循環シフトを使用することによって表され得る。具体的には、４つの循環シフトが、２つのビットの４つの値の合計に対応している。図５においてｎ１は４である。４つの最小ビットがあり得（または第２レベルシーケンス番号が、４つのビットを有し得）、それらの４つの最小ビット（または第２レベルシーケンス番号）の１６個の値が、ブロードキャスト信号において直接搬送される。図５においてｎ２は１６である。
【００８４】
１つの循環シフトに対応する複数の同期信号ブロックにおけるブロードキャスト信号どうしは、別々のシーケンス番号表示情報を搬送する。したがって、ブロードキャスト信号どうしは、別々のコンテンツを有し、複数の同期信号ブロックがコヒーレントに結合されることは不可能である。別々の循環シフトに対応する同期信号ブロックどうしにおけるブロードキャスト信号どうしは、同じシーケンス番号表示情報を搬送する。したがって、ブロードキャスト信号どうしは、同じコンテンツを有し、同期信号ブロックどうしがコヒーレントに結合されることが可能である。
【００８５】
前述の実施形態における循環シフト情報の表示様式は、別の表示様式へ変更され得るということを理解されたい。あるいは、前述の実施形態における循環シフト情報の黙示的な表示様式は、別の黙示的な表示様式へ変更され得るということが理解され得る。簡潔にするために、ここでは詳細は記述されていない。
【００８６】
任意選択で、本出願の実施形態においては、シーケンス番号のバイナリービット形式での有効ビット部分は、シーケンス番号表示情報を使用することによって示され、
シーケンス番号のバイナリービット形式での最小ビット部分は、全単射変換パラメータを使用することによって示される。
【００８７】
具体的には、この実施形態においては、同期信号ブロックのシーケンス番号は、ブロードキャスト信号において搬送されているシーケンス番号表示情報の表示と全単射変換パラメータの表示とを組み合わせる様式で示される。シーケンス番号のバイナリービット形式での有効ビット部分は、ブロードキャスト信号において搬送され、シーケンス番号のバイナリービット形式での最小ビット部分は、さまざまな全単射変換（ｂｉｊｅｃｔｉｖｅ  ｔｒａｎｓｆｏｒｍａｔｉｏｎ）パラメータを使用することによって示される。
【００８８】
全単射変換パラメータは、ブロードキャスト信号のコーディングのためのシフト様式であり得る。具体的には、別々の全単射変換パラメータは、別々のシフト様式に対応している。
【００８９】
図６において示されているように、同期信号ブロックにおけるブロードキャスト信号は、シーケンス番号表示情報を搬送し、シーケンス番号表示情報の情報ビットは、同期信号ブロックのシーケンス番号のバイナリービット形式での有効ビット部分であり得る。加えて、シーケンス番号のバイナリービット形式での最小ビット部分は、さまざまな全単射変換パラメータを使用することによって黙示的に示される。
【００９０】
たとえば、同期信号ブロックの量が３２であり、同期信号ブロックのシーケンス番号が、５つのビットを使用することによって表され得ると想定される。２つの有効ビットがあり得（または第１レベルシーケンス番号が、２つのビットを有し得）、それらの２つの有効ビット（または第１レベルシーケンス番号）の４つの値は、ブロードキャスト信号によって直接搬送され得る。図６においてｎ１は４である。３つの最小ビットがあり得（または第２レベルシーケンス番号が、３つのビットを有し得）、それらの最小ビット（または第２レベルシーケンス番号）の８個の値が、８個の全単射変換パラメータを使用することによって示される。図６においてｎ２は８である。
【００９１】
この実施形態においては、複数の同期信号ブロックにおけるものであって、かつ同じシーケンス番号表示情報を搬送するブロードキャスト信号どうしは、同じコンテンツを有する。したがって、複数の同期信号ブロックは、コヒーレントに結合されることが可能である。
【００９２】
前述の実施形態における全単射変換パラメータの表示様式は、別の表示様式へ変更され得るということを理解されたい。あるいは、前述の実施形態における全単射変換パラメータの黙示的な表示様式は、別の黙示的な表示様式へ変更され得るということが理解され得る。簡潔にするために、ここでは詳細は記述されていない。
【００９３】
任意選択で、本出願の実施形態においては、シーケンス番号のバイナリービット形式での有効ビット部分は、システムフレーム番号を使用することによって示され、
シーケンス番号のバイナリービット形式での最小ビット部分は、シーケンス番号表示情報を使用することによって示される。
【００９４】
具体的には、１つの同期信号バーストセットが複数のシステムフレームをカバーする場合には、同期信号ブロックのシーケンス番号は、ブロードキャスト信号において搬送されているシーケンス番号表示情報の表示とシステムフレーム番号の表示とを組み合わせる様式で示され得る。シーケンス番号のバイナリービット形式での最小ビット部分は、ブロードキャスト信号において搬送され、シーケンス番号のバイナリービット形式での有効ビット部分は、さまざまなシステムフレーム番号を使用することによって示される。
【００９５】
図７において示されているように、同期信号ブロックにおけるブロードキャスト信号は、シーケンス番号表示情報を搬送し、シーケンス番号表示情報の情報ビットは、同期信号ブロックのシーケンス番号のバイナリービット形式での最小ビット部分であり得る。加えて、シーケンス番号のバイナリービット形式での有効ビット部分は、さまざまなシステムフレーム番号を使用することによって示される。
【００９６】
たとえば、同期信号ブロックの量が６４であり、１つのシステムフレームが１６個の同期信号ブロックを含むと想定される。したがって、１つの同期信号バーストセットが、４つのシステムフレームをカバーする。同期信号ブロックのシーケンス番号は、６つのビットを使用することによって表され得る。２つの有効ビットがあり得（または第１レベルシーケンス番号が、２つのビットを有し得）、それらの２つの有効ビット（または第１レベルシーケンス番号）の４つの値は、ＳＦＮ  ｍｏｄ４を使用することによって表され得、その場合、ＳＦＮはシステムフレーム番号を示す。図７においてｘは４である。４つの最小ビットがあり得（または第２レベルシーケンス番号が、４つのビットを有し得）、それらの４つの最小ビット（または第２レベルシーケンス番号）の１６個の値が、ブロードキャスト信号において直接搬送される。図７においてｎ２は１６である。
【００９７】
１つのシステムフレームにおける複数の同期信号ブロックにおけるブロードキャスト信号どうしは、別々のシーケンス番号表示情報を搬送する。したがって、ブロードキャスト信号どうしは、別々のコンテンツを有し、複数の同期信号ブロックがコヒーレントに結合されることは不可能である。別々のシステムフレームにおける対応する同期信号ブロックどうしにおけるブロードキャスト信号どうしは、同じシーケンス番号表示情報を搬送する。したがって、対応するブロードキャスト信号どうしは、同じコンテンツを有し、同期信号ブロックどうしがコヒーレントに結合されることが可能である。
【００９８】
任意選択で、本出願の別の実施形態においては、シーケンス番号の２つの部分はそれぞれ、スクランブリングコード、ＣＲＣマスク、全単射変換パラメータ、および循環シフト情報のうちの２つを使用することによって示される。
【００９９】
具体的には、本出願のこの実施形態においては、同期信号ブロックのシーケンス番号の両方の部分は、黙示的に示される。この方法においては、ブロードキャスト信号リソースがさらに節約され得る。
【０１００】
加えて、同期信号ブロックのシーケンス番号は、ブロードキャスト信号を使用することによって明示的に示されないので、複数の同期信号ブロックにおけるブロードキャスト信号どうしは、同じコンテンツを有し、複数の同期信号ブロックがコヒーレントに結合されることが可能である。
【０１０１】
任意選択で、本出願の実施形態においては、シーケンス番号のバイナリービット形式での有効ビット部分は、ＣＲＣマスクを使用することによって示され、
シーケンス番号のバイナリービット形式での最小ビット部分は、スクランブリングコードを使用することによって示される。
【０１０２】
具体的には、この実施形態においては、同期信号ブロックのシーケンス番号は、２つの黙示的表示を組み合わせる様式で示される。シーケンス番号のバイナリービット形式での有効ビット部分は、さまざまなＣＲＣマスクを使用することによって示され、シーケンス番号のバイナリービット形式での最小ビット部分は、さまざまなスクランブリングコードを使用することによって示される。
【０１０３】
図８において示されているように、同期信号ブロックにおけるブロードキャスト信号は、シーケンス番号表示情報を搬送し、シーケンス番号表示情報の情報ビットは、同期信号ブロックのシーケンス番号のバイナリービット形式での最小ビット部分であり得る。加えて、シーケンス番号のバイナリービット形式での有効ビット部分は、さまざまなスクランブリングコードを使用することによって示される。
【０１０４】
たとえば、同期信号ブロックの量が６４であり、同期信号ブロックのシーケンス番号が、６つのビットを使用することによって表され得ると想定される。２つの有効ビットがあり得（または第１レベルシーケンス番号が、２つのビットを有し得）、それらの２つの有効ビット（または第１レベルシーケンス番号）の４つの値がそれぞれ、４つのＣＲＣマスクを使用することによって表され得、すなわち、それらの４つのＣＲＣマスクは、２つのビットの４つの値の合計に対応している。図８においてｎ１は４である。４つの最小ビットがあり得（または第２レベルシーケンス番号が、４つのビットを有し得）、それらの４つの最小ビット（または第２レベルシーケンス番号）の１６個の値が、１６個のスクランブリングコードを使用することによって表され得、すなわち、１６個のスクランブリングコード仮説が、４つのビットの１６個の値の合計に対応している。図８においてｎ２は１６である。
【０１０５】
前述の実施形態におけるスクランブリングコードの黙示的な表示様式はまた、別の黙示的な表示様式へ変更され得るということを理解されたい。簡潔にするために、ここでは詳細は記述されていない。
【０１０６】
３２０．  ネットワークデバイスが、同期信号ブロックを送信する。
【０１０７】
前述の同期信号ブロックを生成した後に、ネットワークデバイスは、対応する伝送リソースを使用することによって同期信号ブロックを送信する。それに応じて、端末デバイスは、同期信号ブロックを検知し、同期信号ブロックに基づいて同期化およびアクセスを実行する。
【０１０８】
３３０．  端末デバイスは、ブロードキャスト信号において搬送されているシーケンス番号表示情報、ブロードキャスト信号のスクランブリングコード、ブロードキャスト信号のＣＲＣマスク、ブロードキャスト信号の全単射変換パラメータ、チャネルコーディングが実行されたブロードキャスト信号の循環シフト情報、およびブロードキャスト信号において搬送されているシステムフレーム番号のうちの少なくとも１つに基づいて同期信号ブロックのシーケンス番号を決定する。
【０１０９】
同期信号ブロックを検知した後に、端末デバイスは、同期信号ブロックにおける同期信号に基づいて主要な同期機能を実施し、それに応じて、前述のアイテムのうちの少なくとも１つに基づいて同期信号ブロックのシーケンス番号を決定して、時刻同期を完了して無線フレーム構造を決定する。
【０１１０】
任意選択で、本出願の実施形態においては、端末デバイスは、シーケンス番号表示情報、スクランブリングコード、ＣＲＣマスク、全単射変換パラメータ、循環シフト情報、およびシステムフレーム番号のうちの２つに基づいてシーケンス番号を決定する。
【０１１１】
任意選択で、本出願の実施形態においては、端末デバイスは、シーケンス番号の一方の部分をシーケンス番号表示情報に基づいて決定し、シーケンス番号の他方の部分をスクランブリングコード、ＣＲＣマスク、全単射変換パラメータ、循環シフト情報、およびシステムフレーム番号のうちの１つに基づいて決定する。
【０１１２】
任意選択で、本出願の実施形態においては、端末デバイスは、シーケンス番号のバイナリービット形式での有効ビット部分をスクランブリングコードに基づいて決定し、シーケンス番号のバイナリービット形式での最小ビット部分をシーケンス番号表示情報に基づいて決定する。
【０１１３】
任意選択で、本出願の実施形態においては、端末デバイスは、シーケンス番号のバイナリービット形式での有効ビット部分を循環シフト情報に基づいて決定し、シーケンス番号のバイナリービット形式での最小ビット部分をシーケンス番号表示情報に基づいて決定する。
【０１１４】
任意選択で、本出願の実施形態においては、端末デバイスは、シーケンス番号のバイナリービット形式での有効ビット部分をシーケンス番号表示情報に基づいて決定し、シーケンス番号のバイナリービット形式での最小ビット部分を全単射変換パラメータに基づいて決定する。
【０１１５】
任意選択で、本出願の実施形態においては、端末デバイスは、シーケンス番号のバイナリービット形式での有効ビット部分をシステムフレーム番号に基づいて決定し、シーケンス番号のバイナリービット形式での最小ビット部分をシーケンス番号表示情報に基づいて決定する。
【０１１６】
任意選択で、本出願の実施形態においては、端末デバイスは、シーケンス番号の２つの部分をそれぞれスクランブリングコード、ＣＲＣマスク、全単射変換パラメータ、および循環シフト情報のうちの２つに基づいて決定する。
【０１１７】
任意選択で、本出願の実施形態においては、端末デバイスは、シーケンス番号のバイナリービット形式での有効ビット部分をＣＲＣマスクに基づいて決定し、シーケンス番号のバイナリービット形式での最小ビット部分をスクランブリングコードに基づいて決定する。
【０１１８】
端末デバイスが同期信号ブロックのシーケンス番号を決定する様式は、ネットワークデバイスによって使用される表示様式に対応しているということを理解されたい。具体的には、ネットワークデバイスが同期信号ブロックのシーケンス番号を示す表示様式は、端末デバイスが同期信号ブロックのシーケンス番号を決定する対応する様式である。簡潔にするために、ここでは詳細は記述されていない。
【０１１９】
本出願のこの実施形態における技術的なソリューションにおいては、同期信号ブロックのシーケンス番号は、ブロードキャスト信号において搬送されているシーケンス番号表示情報、ブロードキャスト信号のスクランブリングコード、ブロードキャスト信号のＣＲＣマスク、ブロードキャスト信号の全単射変換パラメータ、チャネルコーディングが実行されたブロードキャスト信号の循環シフト情報、およびブロードキャスト信号において搬送されているシステムフレーム番号のうちの少なくとも１つを使用することによって示され、それによって同期信号ブロックのロケーションが効果的に示されることが可能である。
【０１２０】
本出願の実施形態における具体的な例は、本出願の実施形態を当業者がよりよく理解するのを支援することを意図されているにすぎず、本出願の実施形態の範囲を限定することを意図されているものではないということを理解されたい。
【０１２１】
前述のプロセスのシーケンス番号は、本出願のさまざまな実施形態における実行シーケンスを意味していないということを理解されたい。それらのプロセスの実行シーケンスは、それらのプロセスの機能および内部ロジックに従って決定されるべきであり、本出願の実施形態の実施プロセスに対する何らかの限定として解釈されるべきではない。
【０１２２】
前述の内容は、本出願の実施形態における信号伝送方法について詳細に記述しており、以降では、本出願の実施形態における信号伝送装置について記述する。
【０１２３】
図９は、本出願の実施形態による信号伝送装置９００の概略ブロック図である。装置９００は、ネットワークデバイスであり得る。
【０１２４】
装置９００は、方法実施形態におけるネットワークデバイスに対応していることがあり、この方法におけるネットワークデバイスの任意の機能を有し得るということを理解されたい。
【０１２５】
図９において示されているように、装置９００は、プロセッサ９１０およびトランシーバ９２０を含む。
【０１２６】
プロセッサ９１０は、同期信号ブロックを生成するように構成されており、同期信号ブロックは、同期信号およびブロードキャスト信号を含み、同期信号ブロックのシーケンス番号は、ブロードキャスト信号において搬送されているシーケンス番号表示情報、ブロードキャスト信号のスクランブリングコード、ブロードキャスト信号の巡回冗長検査ＣＲＣマスク、ブロードキャスト信号の全単射変換パラメータ、チャネルコーディングが実行されたブロードキャスト信号の循環シフト情報、およびブロードキャスト信号において搬送されているシステムフレーム番号のうちの少なくとも１つを使用することによって示され、シーケンス番号は、複数の同期信号ブロックにおけるその同期信号ブロックのロケーションを示す。
【０１２７】
トランシーバ９２０は、同期信号ブロックを送信するように構成されている。
【０１２８】
任意選択で、本出願の実施形態においては、同期信号ブロックのシーケンス番号は、シーケンス番号表示情報、スクランブリングコード、ＣＲＣマスク、全単射変換パラメータ、循環シフト情報、およびシステムフレーム番号のうちの２つを使用することによって共同で示される。
【０１２９】
任意選択で、本出願の実施形態においては、シーケンス番号は、同期信号バーストまたは同期信号バーストセットにおける同期信号ブロックのロケーションを示す。
【０１３０】
任意選択で、本出願の実施形態においては、シーケンス番号は、２つの部分を含み、シーケンス番号の一方の部分は、シーケンス番号表示情報を使用することによって示され、
シーケンス番号の他方の部分は、スクランブリングコード、ＣＲＣマスク、全単射変換パラメータ、循環シフト情報、およびシステムフレーム番号のうちの１つを使用することによって示される。
【０１３１】
任意選択で、本出願の実施形態においては、シーケンス番号のバイナリービット形式での有効ビット部分は、スクランブリングコードを使用することによって示され、
シーケンス番号のバイナリービット形式での最小ビット部分は、シーケンス番号表示情報を使用することによって示される。
【０１３２】
任意選択で、本出願の実施形態においては、シーケンス番号のバイナリービット形式での有効ビット部分は、循環シフト情報を使用することによって示され、
シーケンス番号のバイナリービット形式での最小ビット部分は、シーケンス番号表示情報を使用することによって示される。
【０１３３】
任意選択で、本出願の実施形態においては、シーケンス番号のバイナリービット形式での有効ビット部分は、シーケンス番号表示情報を使用することによって示され、
シーケンス番号のバイナリービット形式での最小ビット部分は、全単射変換パラメータを使用することによって示される。
【０１３４】
任意選択で、本出願の実施形態においては、シーケンス番号のバイナリービット形式での有効ビット部分は、システムフレーム番号を使用することによって示され、
シーケンス番号のバイナリービット形式での最小ビット部分は、シーケンス番号表示情報を使用することによって示される。
【０１３５】
任意選択で、本出願の実施形態においては、シーケンス番号は、２つの部分を含み、シーケンス番号の２つの部分はそれぞれ、スクランブリングコード、ＣＲＣマスク、全単射変換パラメータ、および循環シフト情報のうちの２つを使用することによって示される。
【０１３６】
任意選択で、本出願の実施形態においては、シーケンス番号のバイナリービット形式での有効ビット部分は、ＣＲＣマスクを使用することによって示され、
シーケンス番号のバイナリービット形式での最小ビット部分は、スクランブリングコードを使用することによって示される。
【０１３７】
図１０は、本出願の別の実施形態による信号伝送装置１０００の概略ブロック図である。装置１０００は、端末デバイスであり得る。
【０１３８】
装置１０００は、方法実施形態における端末デバイスに対応していることがあり、この方法における端末デバイスの任意の機能を有し得るということを理解されたい。
【０１３９】
図１０において示されているように、装置１０００は、プロセッサ１０１０およびトランシーバ１０２０を含む。
【０１４０】
トランシーバ１０２０は、同期信号ブロックを検知するように構成されており、同期信号ブロックは、同期信号およびブロードキャスト信号を含む。
【０１４１】
プロセッサ１０１０は、ブロードキャスト信号において搬送されているシーケンス番号表示情報、ブロードキャスト信号のスクランブリングコード、ブロードキャスト信号の巡回冗長検査ＣＲＣマスク、ブロードキャスト信号の全単射変換パラメータ、チャネルコーディングが実行されたブロードキャスト信号の循環シフト情報、およびブロードキャスト信号において搬送されているシステムフレーム番号のうちの少なくとも１つに基づいて同期信号ブロックのシーケンス番号を決定するように構成されており、シーケンス番号は、複数の同期信号ブロックにおけるその同期信号ブロックのロケーションを示す。
【０１４２】
任意選択で、本出願の実施形態においては、プロセッサ１０１０は、シーケンス番号表示情報、スクランブリングコード、ＣＲＣマスク、全単射変換パラメータ、循環シフト情報、およびシステムフレーム番号のうちの２つに基づいてシーケンス番号を決定するように構成されている。
【０１４３】
任意選択で、本出願の実施形態においては、シーケンス番号は、同期信号バーストまたは同期信号バーストセットにおける同期信号ブロックのロケーションを示す。
【０１４４】
任意選択で、本出願の実施形態においては、シーケンス番号は、２つの部分を含む。プロセッサ１０１０は、シーケンス番号の一方の部分をシーケンス番号表示情報に基づいて決定し、シーケンス番号の他方の部分をスクランブリングコード、ＣＲＣマスク、全単射変換パラメータ、循環シフト情報、およびシステムフレーム番号のうちの１つに基づいて決定するように構成されている。
【０１４５】
任意選択で、本出願の実施形態においては、プロセッサ１０１０は、シーケンス番号のバイナリービット形式での有効ビット部分をスクランブリングコードに基づいて決定し、シーケンス番号のバイナリービット形式での最小ビット部分をシーケンス番号表示情報に基づいて決定するように構成されている。
【０１４６】
任意選択で、本出願の実施形態においては、プロセッサ１０１０は、シーケンス番号のバイナリービット形式での有効ビット部分を循環シフト情報に基づいて決定し、シーケンス番号のバイナリービット形式での最小ビット部分をシーケンス番号表示情報に基づいて決定するように構成されている。
【０１４７】
任意選択で、本出願の実施形態においては、プロセッサ１０１０は、シーケンス番号のバイナリービット形式での有効ビット部分をシーケンス番号表示情報に基づいて決定し、シーケンス番号のバイナリービット形式での最小ビット部分を全単射変換パラメータに基づいて決定するように構成されている。
【０１４８】
任意選択で、本出願の実施形態においては、プロセッサ１０１０は、シーケンス番号のバイナリービット形式での有効ビット部分をシステムフレーム番号に基づいて決定し、シーケンス番号のバイナリービット形式での最小ビット部分をシーケンス番号表示情報に基づいて決定するように構成されている。
【０１４９】
任意選択で、本出願の実施形態においては、シーケンス番号は、２つの部分を含む。プロセッサ１０１０は、シーケンス番号の２つの部分をそれぞれスクランブリングコード、ＣＲＣマスク、全単射変換パラメータ、および循環シフト情報のうちの２つに基づいて決定するように構成されている。
【０１５０】
任意選択で、本出願の実施形態においては、プロセッサ１０１０は、シーケンス番号のバイナリービット形式での有効ビット部分をＣＲＣマスクに基づいて決定し、シーケンス番号のバイナリービット形式での最小ビット部分をスクランブリングコードに基づいて決定するように構成されている。
【０１５１】
本出願のこの実施形態におけるプロセッサ９１０またはプロセッサ１０１０は、処理ユニットまたはチップを使用することによって実装され得るということを理解されたい。任意選択で、処理ユニットは、実施プロセスにおいて複数のユニットを含み得る。
【０１５２】
本出願のこの実施形態におけるトランシーバ９２０またはトランシーバ１０２０は、トランシーバユニットまたはチップを使用することによって実装され得るということを理解されたい。任意選択で、トランシーバ９２０またはトランシーバ１０２０は、送信機及び／もしくは受信機を含み得、または伝送ユニット及び／もしくは受信ユニットを含み得る。
【０１５３】
本出願のこの実施形態におけるプロセッサ９１０およびトランシーバ９２０は、チップを使用することによって実装され得、本出願のこの実施形態におけるプロセッサ１０１０およびトランシーバ１０２０は、チップを使用することによって実装され得るということを理解されたい。
【０１５４】
任意選択で、ネットワークデバイスおよび端末デバイスは、メモリをさらに含み得る。メモリは、プログラムコードを格納し得、プロセッサは、メモリ内に格納されているプログラムコードを呼び出して、ネットワークデバイスまたは端末デバイスの対応する機能を実施する。任意選択で、プロセッサおよびメモリは、チップを使用することによって実装され得る。
【０１５５】
本出願の実装における装置は、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）であり得、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）であり得、システムオンチップ（Ｓｙｓｔｅｍ  ｏｎ  Ｃｈｉｐ、ＳｏＣ）であり得、中央処理装置（Ｃｅｎｔｒａｌ  Ｐｒｏｃｅｓｓｉｎｇ  Ｕｎｉｔ、ＣＰＵ）であり得、ネットワークプロセッサ（Ｎｅｔｗｏｒｋ  Ｐｒｏｃｅｓｓｏｒ、ＮＰ）であり得、デジタルシグナルプロセッサ（デジタルシグナルプロセッサ、ＤＳＰ）であり得、マイクロ制御ユニット（Ｍｉｃｒｏ  Ｃｏｎｔｒｏｌｌｅｒ  Ｕｎｉｔ、ＭＣＵ）であり得、またはプログラマブルデバイス（Ｐｒｏｇｒａｍｍａｂｌｅ  Ｌｏｇｉｃ  Ｄｅｖｉｃｅ、ＰＬＤ）もしくは別の統合されたチップであり得る。
【０１５６】
本出願の実施形態は、本出願の前述の実施形態における装置または装置内のコンポーネントを実施するように構成されているチップをさらに提供する。
【０１５７】
本出願の実施形態は、前述のネットワークデバイス実施形態におけるネットワークデバイスと、前述の端末デバイス実施形態における端末デバイスとを含む通信システムをさらに提供する。
【０１５８】
前述の実施形態のうちのすべてまたはいくつかは、ソフトウェア、ハードウェア、ファームウェア、またはそれらの任意の組合せを使用することによって実装され得る。実施形態を実装するためにソフトウェアが使用される場合には、実施形態は、完全にまたは部分的にコンピュータプログラム製品の形態で実装され得る。コンピュータプログラム製品は、１つまたは複数のコンピュータ命令を含む。コンピュータプログラム命令がコンピュータ上にロードされて実行されたときに、本出願の実施形態による手順または機能がすべてまたは部分的に生成される。コンピュータは、汎用コンピュータ、専用コンピュータ、コンピュータネットワーク、またはその他のプログラム可能な装置であり得る。コンピュータ命令は、コンピュータ可読ストレージメディア内に格納され得、またはコンピュータ可読ストレージメディアから別のコンピュータ可読ストレージメディアへ伝送され得る。たとえば、コンピュータ命令は、ウェブサイト、コンピュータ、サーバ、またはデータセンターから、別のウェブサイト、コンピュータ、サーバ、またはデータセンターへ、有線（たとえば、同軸ケーブル、光ファイバ、もしくはデジタルサブスクライバーライン（ＤＳＬ））またはワイヤレス（たとえば、赤外線、ラジオ波、マイクロ波など）の様式で伝送され得る。コンピュータ可読ストレージメディアは、１つまたは複数の使用可能メディアを統合している、コンピュータ、またはデータストレージデバイス、たとえば、サーバまたはデータセンターによってアクセス可能な任意の使用可能メディアであり得る。使用可能メディアは、磁気メディア（たとえば、フロッピーディスク、ハードディスク、または磁気テープ）、光メディア（たとえば、ＤＶＤ）、半導体メディア（たとえば、ソリッドステートディスク（Ｓｏｌｉｄ  Ｓｔａｔｅ  Ｄｉｓｋ、ＳＳＤ））などであり得る。
【０１５９】
本出願の実施形態における「および／または」という用語は、関連付けられている各オブジェクトを記述するための関連付け関係のみを記述しており、３つの関係が存在し得るということを表しているということを理解されたい。たとえば、「Ａおよび／またはＢ」は、「Ａのみが存在する」、「ＡおよびＢの両方が存在する」、ならびに「Ｂのみが存在する」という３つのケースを表し得る。加えて、本明細書における「／」という文字は一般に、関連付けられているオブジェクト間における「または」という関係を示している。
【０１６０】
本明細書において開示されている実施形態において記述されている例と組み合わせて、電子ハードウェア、またはコンピュータソフトウェアと電子ハードウェアとの組合せによって、ユニットおよびアルゴリズムステップが実施され得るということを当業者なら認識し得る。機能がハードウェアによって実行されるか、またはソフトウェアによって実行されるかは、技術的なソリューションの個別の用途および設計制約条件に依存する。当業者なら、記述されている機能をそれぞれの個別の用途のために実施する目的でさまざまな方法を使用し得るが、その実施は本出願の範囲を超えるものとみなされるべきではない。
【０１６１】
便利で簡単な説明の目的のために、前述のシステム、装置、およびユニットの詳細な機能プロセスに関しては、前述の方法実施形態における対応するプロセスを参照されたいということが当業者によって明らかに理解され得、詳細がここで再び記述されることはない。
【０１６２】
本出願において提供されているいくつかの実施形態においては、開示されているシステム、装置、および方法がその他の様式で実施され得るということを理解されたい。たとえば、記述されている装置実施形態は、例にすぎない。たとえば、ユニットの区分は、論理的な機能区分にすぎず、実際の実施においてはその他の区分であってもよい。たとえば、複数のユニットもしくはコンポーネントが組み合わされてもしくは統合されて別のシステムになってもよく、またはいくつかの機能が無視されてもよく、もしくは実行されなくてもよい。加えて、表示されているまたは論じられている相互の結合または直接の結合または通信接続は、いくつかのインターフェースを使用することによって実施され得る。装置どうしまたはユニットどうしの間における間接的な結合または通信接続は、電子的な形態、機械的な形態、またはその他の形態で実施され得る。
【０１６３】
別々の部分として記述されているユニットどうしは、物理的に別々であってもよく、または物理的に別々でなくてもよく、ユニットとして表示されている部分は、物理的なユニットであってもよく、または物理的なユニットでなくてもよく、１つの位置に配置されてもよく、または複数のネットワークユニット上に分散されてもよい。ユニットのうちのいくつかまたはすべては、実施形態のソリューションの目的を達成するために実際の必要性に基づいて選択され得る。
【０１６４】
加えて、本出願の実施形態における機能ユニットどうしが統合されて１つの処理ユニットになってもよく、またはそれらのユニットのそれぞれが物理的に単独で存在してもよく、または２つ以上のユニットが統合されて１つのユニットになる。
【０１６５】
機能がソフトウェア機能ユニットの形態で実装されて、独立した製品として販売または使用される場合には、それらの機能は、コンピュータ可読ストレージメディア内に格納され得る。そのような理解に基づいて、本質的に本出願の技術的なソリューション、または従来技術に貢献する部分、またはそれらの技術的なソリューションのいくつかが、ソフトウェア製品の形態で実装され得る。そのコンピュータソフトウェア製品は、ストレージメディア内に格納され、本出願の実施形態において記述されている方法のステップのうちのすべてまたはいくつかを実行するようにコンピュータデバイス（パーソナルコンピュータ、サーバ、もしくはネットワークデバイスであり得る）に指示するためのいくつかの命令を含む。前述のストレージメディアは、ＵＳＢフラッシュドライブ、取り外し可能なハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなど、プログラムコードを格納することが可能である任意のメディアを含む。
【０１６６】
前述の説明は、本出願の特定の実装にすぎず、本出願の保護範囲を限定することを意図されているものではない。本出願において開示されている技術的な範囲内で当業者によって容易に考え出されるいかなる変形形態または代替形態も、本出願の保護範囲内に収まるものとする。したがって、本出願の保護範囲は、特許請求の範囲の保護範囲に従うものとする。
【国際調査報告】
2020520595.tif 000013
2020520595.tif 000014
2020520595.tif 000015
2020520595.tif 000016